(57)【要約】      （修正有）【課題】端末装置と基地局装置が効率的に通信を行うための装置を提供する。【解決手段】端末装置が、１つまたは複数のランダムアクセスチャネル機会を特定する第１の情報を受信し、ランダムアクセスプリアンブルのインデックスを特定する第２の情報を受信し、第１の条件の場合は、１つまたは複数の参照信号から、それぞれの参照信号の測定値に基づいて、１つの参照信号を選択し、第２の条件の場合は、第２の情報を受信したＰＤＣＣＨと関連付けられた１つの参照信号を選択する。選択した１つの参照信号に関連付けられた１つのランダムアクセスチャネル機会を選択する。【選択図】図１０
2019092061.tif 000002
【特許請求の範囲】
【請求項１】
端末装置であって、
１つまたは複数のランダムアクセスチャネル機会を特定する第１の情報を受信し、ランダムアクセスプリアンブルのインデックスを特定する第２の情報を受信する受信部と、
第１の条件の場合は、１つまたは複数の参照信号から、それぞれの参照信号の測定値に基づいて、１つの参照信号を選択し、
第２の条件の場合は、第２の情報を受信した物理下りリンク制御チャネルと関連付けられた１つの参照信号を選択し、
前記１つまたは複数のランダムアクセスチャネル機会から、前記選択された１つの参照信号に関連付けられた１つのランダムアクセスチャネル機会を選択する選択部と、を備える端末装置。
【請求項２】
前記第１の条件は、前記第２の情報をＲＲＣで受信した場合であり、
前記第２の条件は、前記第２の情報を前記物理下りリンク制御チャネルで受信した場合である、請求項１記載の端末装置。
【請求項３】
前記第１の条件は、前記第２の情報で示されるランダムアクセスプリアンブルのインデックスが予め定められた第１の値であることであり、
前記第２の条件は、前記第２の情報で示されるランダムアクセスプリアンブルのインデックスが前記第１の値ではないことである、請求項１記載の端末装置
【請求項４】
端末装置と通信する基地局装置であって、
前記端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信する送信部と、
第１の条件の場合は、前記１つまたは複数の参照信号のそれぞれに割り当てたランダムアクセスチャネル機会で前記端末装置１から送信されるランダムアクセスプリアンブルをモニタし、
第２の条件の場合は、前記第２の情報を送信した物理下りリンク制御チャネルと関連付けられた１つの参照信号に割り当てたランダムアクセスチャネル機会で前記端末装置から送信されるランダムアクセスプリアンブルをモニタするモニタ部と、を備える基地局装置。
【請求項５】
端末装置に用いられる通信方法であって、
１つまたは複数のランダムアクセスチャネル機会を特定する第１の情報を受信し、ランダムアクセスプリアンブルのインデックスを特定する第２の情報を受信し、
第１の条件の場合は、１つまたは複数の参照信号から、それぞれの参照信号の測定値に基づいて、１つの参照信号を選択し、
第２の条件の場合は、第２の情報を受信した物理下りリンク制御チャネルと関連付けられた１つの参照信号を選択し、
前記１つまたは複数のランダムアクセスチャネル機会から、前記選択された１つの参照信号に関連付けられた１つのランダムアクセスチャネル機会を選択する通信方法。
【請求項６】
基地局装置に用いられる通信方法であって、
端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信し、
第１の条件の場合は、前記１つまたは複数の参照信号のそれぞれに割り当てたランダムアクセスチャネル機会で前記端末装置１から送信されるランダムアクセスプリアンブルを
モニタし、
第２の条件の場合は、前記第２の情報を送信した物理下りリンク制御チャネルと関連付けられた１つの参照信号に割り当てたランダムアクセスチャネル機会で前記端末装置から送信されるランダムアクセスプリアンブルをモニタする通信方法。
【請求項７】
端末装置に実装される集積回路であって、
１つまたは複数のランダムアクセスチャネル機会を特定する第１の情報を受信し、ランダムアクセスプリアンブルのインデックスを特定する第２の情報を受信する機能と、
第１の条件の場合は、１つまたは複数の参照信号から、それぞれの参照信号の測定値に基づいて、１つの参照信号を選択し、
第２の条件の場合は、第２の情報を受信した物理下りリンク制御チャネルと関連付けられた１つの参照信号を選択し、
前記１つまたは複数のランダムアクセスチャネル機会から、前記選択された１つの参照信号に関連付けられた１つのランダムアクセスチャネル機会を選択する機能と、を前記端末装置に発揮させる集積回路。
【請求項８】
基地局装置に実装される集積回路であって、
端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信する機能と、
第１の条件の場合は、前記１つまたは複数の参照信号のそれぞれに割り当てたランダムアクセスチャネル機会で前記端末装置１から送信されるランダムアクセスプリアンブルをモニタし、
第２の条件の場合は、前記第２の情報を送信した物理下りリンク制御チャネルと関連付けられた１つの参照信号に割り当てたランダムアクセスチャネル機会で前記端末装置から送信されるランダムアクセスプリアンブルをモニタする機能と、を前記基地局装置に発揮させる集積回路。
【発明の詳細な説明】
【技術分野】
【０００１】
本発明は、端末装置、基地局装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、ＬＴＥ（Long Term Evolution）−Ａｄｖａｎｃｅｄ  Ｐ
ｒｏ及びＮＲ（New Radio technology）の技術検討及び規格策定が行われている（非特許文献１）。
【０００３】
第５世代のセルラーシステムでは、高速・大容量伝送を実現するｅＭＢＢ（enhanced Mobile BroadBand）、低遅延・高信頼通信を実現するＵＲＬＬＣ（Ultra-Reliable and Low Latency Communication）、ＩｏＴ（Internet of Things）などマシン型デバイスが多
数接続するｍＭＴＣ（massive Machine Type Communication）の３つがサービスの想定シナリオとして要求されている。
【０００４】
ＮＲでは、高い周波数で多数のアンテナエレメントを用いてビームフォーミングゲインによりカバレッジを確保するマッシブＭＩＭＯ（Multiple-Input Multiple-Output）の技術検討が行われている（非特許文献２、非特許文献３、非特許文献４）。
【先行技術文献】
【非特許文献】
【０００５】
【非特許文献１】ＲＰ−１６１２１４  ＮＴＴ  ＤＯＣＯＭＯ，“Ｒｅｖｉｓｉｏｎ  ｏｆ  ＳＩ：Ｓｔｕｄｙ  ｏｎ  Ｎｅｗ  Ｒａｄｉｏ  Ａｃｃｅｓｓ  Ｔｅｃｈｎｏｌｏｇｙ”，２０１６年６月
【非特許文献２】Ｒ１−１６２８８３  Ｎｏｋｉａ，Ａｌｃａｔｅｌ−Ｌｕｃｅｎｔ  ＳｈａｎｇｈａｉＢｅｌｌ，“Ｂａｓｉｃ  Ｐｒｉｎｃｉｐｌｅｓ  ｆｏｒ  ｔｈｅ  ５Ｇ  Ｎｅｗ  Ｒａｄｉｏ  Ａｃｃｅｓｓ  ｔｅｃｈｎｏｌｏｇｙ”，２０１６年４月
【非特許文献３】Ｒ１−１６２３８０，Ｉｎｔｅｌ  Ｃｏｒｐｏｒａｔｉｏｎ，“Ｏｖｅｒｖｉｅｗ  ｏｆｏｆ  ａｎｔｅｎｎａ  ｔｅｃｈｎｏｌｏｇｙ  ｆｏｒ  ｎｅｗ  ｒａｄｉｏ  ｉｎｔｅｒｆａｃｅ”，２０１６年，４月
【非特許文献４】Ｒ１−１６３２１５，Ｅｒｉｃｓｓｏｎ，“Ｏｖｅｒｖｉｅｗ  ｏｆ  ＮＲ”，２０１６年，４月
【発明の概要】
【発明が解決しようとする課題】
【０００６】
本発明は効率的に基地局装置と通信することができる端末装置、該端末装置と通信する基地局装置、該端末装置に用いられる通信方法、該基地局装置に用いられる通信方法を提供する。例えば、該端末装置、および、該基地局装置に用いられる通信方法は、効率的な通信、複雑性の低減、セル間、および／または、端末装置間の干渉を低減するための、上りリンク送信方法、変調方法、および／または、符号化方法を含んでもよい。
【課題を解決するための手段】
【０００７】
（１）本発明の態様は、以下のような手段を講じた。すなわち、本発明の第１の態様は、端末装置であって、１つまたは複数のランダムアクセスチャネル機会を特定する第１の情報を受信し、ランダムアクセスプリアンブルのインデックスを特定する第２の情報を受信する受信部と、第１の条件の場合は、１つまたは複数の参照信号から、それぞれの参照
信号の測定値に基づいて、１つの参照信号を選択し、第２の条件の場合は、第２の情報を受信した物理下りリンク制御チャネルと関連付けられた１つの参照信号を選択し、前記１つまたは複数のランダムアクセスチャネル機会から、前記選択された１つの参照信号に関連付けられた１つのランダムアクセスチャネル機会を選択する選択部と、を備える。
【０００８】
（２）本発明の第２の態様は、端末装置と通信する基地局装置であって、前記端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信する送信部と、第１の条件の場合は、前記１つまたは複数の参照信号のそれぞれに割り当てたランダムアクセスチャネル機会で前記端末装置１から送信されるランダムアクセスプリアンブルをモニタし、第２の条件の場合は、前記第２の情報を送信した物理下りリンク制御チャネルと関連付けられた１つの参照信号に割り当てたランダムアクセスチャネル機会で前記端末装置１から送信されるランダムアクセスプリアンブルをモニタするモニタ部と、を備える。
【０００９】
（３）本発明の第３の態様は、端末装置に用いられる通信方法であって、１つまたは複数のランダムアクセスチャネル機会を特定する第１の情報を受信し、ランダムアクセスプリアンブルのインデックスを特定する第２の情報を受信し、第１の条件の場合は、１つまたは複数の参照信号から、それぞれの参照信号の測定値に基づいて、１つの参照信号を選択し、第２の条件の場合は、第２の情報を受信した物理下りリンク制御チャネルと関連付けられた１つの参照信号を選択し、前記１つまたは複数のランダムアクセスチャネル機会から、前記選択された１つの参照信号に関連付けられた１つのランダムアクセスチャネル機会を選択する。
【００１０】
（４）本発明の第４の態様は、基地局装置に用いられる通信方法であって、前記端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信し、第１の条件の場合は、前記１つまたは複数の参照信号のそれぞれに割り当てたランダムアクセスチャネル機会で前記端末装置１から送信されるランダムアクセスプリアンブルをモニタし、第２の条件の場合は、前記第２の情報を送信した物理下りリンク制御チャネルと関連付けられた１つの参照信号に割り当てたランダムアクセスチャネル機会で前記端末装置１から送信されるランダムアクセスプリアンブルをモニタする。
【００１１】
（５）本発明の第５の態様は、端末装置に実装される集積回路であって、１つまたは複数のランダムアクセスチャネル機会を特定する第１の情報を受信し、ランダムアクセスプリアンブルのインデックスを特定する第２の情報を受信する機能と、第１の条件の場合は、１つまたは複数の参照信号から、それぞれの参照信号の測定値に基づいて、１つの参照信号を選択し、第２の条件の場合は、第２の情報を受信した物理下りリンク制御チャネルと関連付けられた１つの参照信号を選択し、前記１つまたは複数のランダムアクセスチャネル機会から、前記選択された１つの参照信号に関連付けられた１つのランダムアクセスチャネル機会を選択する機能と、を前記端末装置に発揮させる。
【００１２】
（６）本発明の第６の態様は、基地局装置に実装される集積回路であって、前記端末装置に対して、１つまたは複数の参照信号を送信し、１つまたは複数のランダムアクセスチャネル機会を特定する第１の情報を送信し、ランダムアクセスプリアンブルのインデックスを特定する第２の情報を送信する機能と、第１の条件の場合は、前記１つまたは複数の参照信号のそれぞれに割り当てたランダムアクセスチャネル機会で前記端末装置１から送信されるランダムアクセスプリアンブルをモニタし、第２の条件の場合は、前記第２の情報を送信した物理下りリンク制御チャネルと関連付けられた１つの参照信号に割り当てた
ランダムアクセスチャネル機会で前記端末装置１から送信されるランダムアクセスプリアンブルをモニタする機能と、を前記基地局装置に発揮させる。
【発明の効果】
【００１３】
この発明によれば、端末装置および基地局装置は互いに効率的に通信および／または複雑性の低減をすることができる。
【図面の簡単な説明】
【００１４】
【図１】本発明の実施形態に係る無線通信システムの概念図である。
【図２】本発明の実施形態に係る下りリンクスロットの概略構成の一例を示す図である。
【図３】本発明の実施形態に係るサブフレーム、スロット、ミニスロットの時間領域における関係を示す図である。
【図４】本発明の実施形態に係るスロットまたはサブフレームの一例を示す図である。
【図５】本発明の実施形態に係るビームフォーミングの一例を示す図である。
【図６】本発明の実施形態に係る１つまたは複数のセルにおいて送信ビームの適用された複数の参照信号が送信される概念を示す図である。
【図７】本発明の実施形態に係る本実施形態に係るＳＳブロックおよびＳＳバーストセットの例を示す図である。
【図８】本発明の実施形態に係るランアムアクセス設定情報の構成の例を示す図である。
【図９】本発明の実施形態に係るランダムアクセス手順における端末装置１と基地局装置３との間の複数のメッセージの送受信の概念図である。
【図１０】本発明の実施形態に係る端末装置１におけるＲＡＣＨ機会の選択処理の一例を示すフロー図である。
【図１１】本発明の実施形態に係る基地局装置３におけるランダムアクセスプリアンブルの受信処理の一例を示すフロー図である。
【図１２】本発明の実施形態に係る端末局装置１におけるランダムアクセスプリアンブルの送信処理の一例を示すフロー図である。
【図１３】プリアンブルインデックスの割当の一例を説明する図である。
【図１４】本発明の実施形態に係る基地局装置３におけるランダムアクセスプリアンブルの受信処理の別の一例を示すフロー図である。
【図１５】本発明の実施形態に係る端末装置１の構成を示す概略ブロック図である。
【図１６】本発明の実施形態に係る基地局装置３の構成を示す概略ブロック図である。
【発明を実施するための形態】
【００１５】
以下、本発明の実施形態について説明する。
【００１６】
ＬＴＥ（およびＬＴＥ−Ａｄｖａｎｃｅｄ  Ｐｒｏ）とＮＲは、異なるＲＡＴ（Radio Access Technology）として定義されてもよい。ＮＲは、ＬＴＥに含まれる技術として定
義されてもよい。本実施形態はＮＲ、ＬＴＥおよび他のＲＡＴに適用されてよい。以下の説明では、ＬＴＥに関連する用語を用いて説明するが、他の用語を用いる他の技術においても適用されてもよい。
【００１７】
図１は、本発明の実施形態に係る無線通信システムの概念図である。図１において、無線通信システムは、端末装置１Ａ、端末装置１Ｂ、基地局装置３を具備する。端末装置１Ａ、および、端末装置１Ｂを、端末装置１とも称する。
【００１８】
端末装置１は、移動局装置、ユーザ端末（UE: User Equipment）、通信端末、移動機、端末、ＭＳ（Mobile Station）などと称される場合もある。基地局装置３は、無線基地局装置、基地局、無線基地局、固定局、ＮＢ（Node B）、ｅＮＢ（evolved Node B）、ＮＲ
ＮＢ（NR Node B）、ｇＮＢ（next generation Node B）、アクセスポイント、ＢＴＳ
（Base Transceiver Station）、ＢＳ（Base Station）などと称される場合もある。基地局装置３は、コアネットワーク装置を含んでもよい。また、基地局装置３は、１つまたは複数の送受信点４（ｔｒａｎｓｍｉｓｓｉｏｎ  ｒｅｃｅｐｔｉｏｎ  ｐｏｉｎｔ：ＴＲＰ）を具備してもよい。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、１つのセルを複数の部分領域（Ｂｅａｍｅｄ
ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１９】
基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数に混在して１つの通信システムを形成している無線ネットワークのことを、ヘテロジニアスネットワークと称する。
【００２０】
基地局装置３から端末装置１への無線通信リンクを下りリンクと称する。端末装置１から基地局装置３への無線通信リンクを上りリンクと称する。端末装置１から他の端末装置１への無線通信リンクをサイドリンクと称する。
【００２１】
図１において、端末装置１と基地局装置３の間の無線通信および／または端末装置１と他の端末装置１の間の無線通信では、サイクリックプレフィックス（CP: Cyclic Prefix
）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２２】
また、図１において、端末装置１と基地局装置３の間の無線通信および／または端末装置１と他の端末装置１の間の無線通信では、ユニバーサルフィルタマルチキャリア（UFMC: Universal-Filtered Multi-Carrier）、フィルタＯＦＤＭ（F-OFDM: Filtered OFDM）
、窓が乗算されたＯＦＤＭ（Windowed OFDM）、フィルタバンクマルチキャリア（FBMC: Filter-Bank Multi-Carrier）が用いられてもよい。
【００２３】
なお、本実施形態ではＯＦＤＭを伝送方式としてＯＦＤＭシンボルで説明するが、上述の他の伝送方式の場合を用いた場合も本発明に含まれる。例えば、本実施形態におけるＯＦＤＭシンボルはＳＣ−ＦＤＭシンボル（ＳＣ−ＦＤＭＡ（Single-Carrier Frequency Division Multiple Access）シンボルと称される場合もある）であってもよい。
【００２４】
また、図１において、端末装置１と基地局装置３の間の無線通信および／または端末装置１と他の端末装置１の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２５】
本実施形態では、端末装置１に対して１つまたは複数のサービングセルが設定される。設定された複数のサービングセルは、１つのプライマリーセル（Primary Cell、PCellと
も称される）と１つまたは複数のセカンダリーセル（Secondary Cell、SCellとも称され
る）とを含む。プライマリーセルは、初期コネクション確立（initial connection establishment）プロシージャが行なわれたサービングセル、コネクション再確立（connection
re-establishment）プロシージャを開始したサービングセル、または、ハンドオーバプ
ロシージャにおいてプライマリーセルと指示されたセルである。ＲＲＣ（Radio Resource
Control）コネクションが確立された時点、または、後に、１つまたは複数のセカンダリーセルが設定されてもよい。ただし、設定された複数のサービングセルは、１つのプライマリーセカンダリーセル（Primary SCell、PSCellとも称される）を含んでもよい。プラ
イマリーセカンダリーセルは、端末装置１が設定された１つまたは複数のセカンダリーセルのうち、上りリンクにおいて制御情報を送信可能なセカンダリーセルであってもよい。また、端末装置１に対して、マスターセルグループ（Master Cell Group、MCGとも称される）とセカンダリーセルグループ（Secondary Cell Group、SCGとも称される）の２種類
のサービングセルのサブセットが設定されてもよい。マスターセルグループは１つのプライマリーセルと０個以上のセカンダリーセルで構成される。セカンダリーセルグループは１つのプライマリーセカンダリーセルと０個以上のセカンダリーセルで構成される。
【００２６】
本実施形態の無線通信システムは、ＴＤＤ（Time Division Duplex）および／またはＦＤＤ（Frequency Division Duplex）が適用されてよい。複数のセルの全てに対してＴＤ
Ｄ（Time Division Duplex）方式またはＦＤＤ（Frequency Division Duplex）方式が適
用されてもよい。また、ＴＤＤ方式が適用されるセルとＦＤＤ方式が適用されるセルが集約されてもよい。
【００２７】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称する。
【００２８】
本実施形態の物理チャネルおよび物理信号について説明する。ただし、下りリンク物理チャネルおよび／または下りリンク物理信号を総称して、下りリンク信号と称してもよい。上りリンク物理チャネルおよび／または上りリンク物理信号を総称して、上りリンク信号と称してもよい。下りリンク物理チャネルおよび／または上りリンク物理チャネルを総称して、物理チャネルと称してもよい。下りリンク物理信号および／または上りリンク物理信号を総称して、物理信号と称してもよい。
【００２９】
図１において、端末装置１と基地局装置３の下りリンク無線通信では、以下の下りリンク物理チャネルが用いられる。下りリンク物理チャネルは、上位層から出力された情報を送信するために使用される。
・ＮＲ−ＰＢＣＨ（New Radio Physical Broadcast CHannel）
・ＮＲ−ＰＤＣＣＨ（New Radio Physical Downlink Control CHannel）
・ＮＲ−ＰＤＳＣＨ（New Radio Physical Downlink Shared CHannel）
ＮＲ−ＰＢＣＨ（ＰＢＣＨと称してもよい）は、端末装置１が必要とする重要なシステム情報（Ｅｓｓｅｎｔｉａｌ  ｉｎｆｏｒｍａｔｉｏｎ）を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ
Ｉｎｆｏｒｍａｔｉｏｎ  Ｂｌｏｃｋ）を基地局装置３が報知するために用いられる。ここで、１つまたは複数の重要情報ブロックは、重要情報メッセージとして送信されてもよい。例えば、重要情報ブロックにはフレーム番号（ＳＦＮ：Ｓｙｓｔｅｍ  Ｆｒａｍｅ
Ｎｕｍｂｅｒ）の一部あるいは全部を示す情報（例えば、複数のフレームで構成されるスーパーフレーム内における位置に関する情報）が含まれてもよい。例えば、無線フレーム（１０ｍｓ）は、１ｍｓのサブフレームの１０個で構成され、無線フレームは、フレーム番号で識別される。フレーム番号は、１０２４で０に戻る（Wrap around）。また、セ
ル内の領域ごとに異なる重要情報ブロックが送信される場合には領域を識別できる情報（例えば、領域を構成する下りリンク送信ビームの識別子情報）が含まれてもよい。ここで、下りリンク送信ビームの識別子情報は、下りリンク送信ビーム（プリコーディング）のインデックスを用いて示されてもよい。また、セル内の領域ごとに異なる重要情報ブロック（重要情報メッセージ）が送信される場合にはフレーム内の時間位置（例えば、当該重要情報ブロック（重要情報メッセージ）が含まれるサブフレーム番号）を識別できる情報が含まれてもよい。すなわち、異なる下りリンク送信ビームのインデックスが用いられた重要情報ブロック（重要情報メッセージ）の送信のそれぞれが行われるサブフレーム番号のそれぞれを決定するための情報が含まれてもよい。例えば、重要情報には、セルへの接続やモビリティのために必要な情報が含まれてもよい。
【００３０】
ＮＲ−ＰＤＣＣＨ（ＰＤＣＣＨと称してもよい）は、下りリンクの無線通信（基地局装置３から端末装置１への無線通信）において、下りリンク制御情報（Downlink Control Information: DCI）を送信するために用いられる。ここで、下りリンク制御情報の送信に
対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００３１】
例えば、ＤＣＩとして、スケジューリングされたＮＲ−ＰＤＳＣＨに対するＨＡＲＱ−ＡＣＫを送信するタイミング（例えば、ＮＲ−ＰＤＳＣＨに含まれる最後のシンボルからＨＡＲＱ−ＡＣＫ送信までのシンボル数）示す情報を含むＤＣＩが定義されてもよい。
【００３２】
例えば、ＤＣＩとして、１つのセルにおける１つの下りリンクの無線通信ＮＲ−ＰＤＳＣＨ（１つの下りリンクトランスポートブロックの送信）のスケジューリングのために用いられるＤＣＩが定義されてもよい。
【００３３】
例えば、ＤＣＩとして、１つのセルにおける１つの上りリンクの無線通信ＮＲ−ＰＵＳＣＨ（１つの上りリンクトランスポートブロックの送信）のスケジューリングのために用いられるＤＣＩが定義されてもよい。
【００３４】
ここで、ＤＣＩには、ＮＲ−ＰＤＳＣＨあるいはＮＲ−ＰＵＳＣＨのスケジューリングに関する情報が含まれる。ここで、下りリンクに対するＤＣＩを、下りリンクグラント（downlink grant）、または、下りリンクアサインメント（downlink assignment）とも称
する。ここで、上りリンクに対するＤＣＩを、上りリンクグラント（uplink grant）、または、上りリンクアサインメント（Uplink assignment）とも称する。
【００３５】
ＮＲ−ＰＤＳＣＨ（ＰＤＳＣＨと称してもよい）は、媒介アクセス（MAC: Medium Access Control）からの下りリンクデータ（DL-SCH: Downlink Shared CHannel）の送信に用
いられる。また、システム情報（SI: System Information）やランダムアクセス応答（RAR: Random Access Response）などの送信にも用いられる。
【００３６】
ここで、基地局装置３と端末装置１は、上位層（higher layer）において信号をやり取り（送受信）する。例えば、基地局装置３と端末装置１は、無線リソース制御（RRC: Rad
io Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００３７】
ＮＲ−ＰＤＳＣＨは、ＲＲＣシグナリング、および、ＭＡＣコントロールエレメント（MAC CE: Medium Access Control Control Element）を送信するために用いられてもよい
。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、端末装置固有（ＵＥスペシフィック）な
情報は、ある端末装置１に対して専用のシグナリングを用いて送信されてもよい。
【００３８】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
同期信号は、端末装置１が下りリンクの周波数領域および時間領域の同期をとるために用いられる。同期信号は、プライマリ同期信号（ＰＳＳ：Primary Synchronization Signal）およびセカンダリ同期信号（ＳＳＳ：Secondary Synchronization Signal）を含んでよい。また、同期信号は、端末装置１がセル識別子（セルＩＤ：Cell Identifier）を特
定するために用いられてもよい。また、同期信号は、下りリンクビームフォーミングにおいて基地局装置３が用いる下りリンク送信ビームおよび／または端末装置１が用いる下りリンク受信ビームの選択／識別／決定に用いられて良い。すなわち、同期信号は、基地局装置３によって下りリンク信号に対して適用された下りリンク送信ビームのインデックスを、端末装置１が選択／識別／決定するために用いられてもよい。ただし、ＮＲにおいて用いられる同期信号、プライマリ同期信号およびセカンダリ同期信号をそれぞれＮＲ−ＳＳ、ＮＲ−ＰＳＳ、ＮＲ−ＳＳＳと称してもよい。
【００３９】
下りリンクの参照信号（以下、本実施形態では単に参照信号とも記載する）は、用途等に基づいて複数の参照信号に分類されてよい。例えば、参照信号には以下の参照信号の１つまたは複数が用いられてよい。
【００４０】
・ＤＭＲＳ（Demodulation Reference Signal）
・ＣＳＩ−ＲＳ（Channel State Information Reference Signal）
・ＰＴＲＳ（Phase Tracking Reference Signal）
・ＭＲＳ（Mobility Reference Signal）
ＤＭＲＳは、受信した変調信号の復調時の伝搬路補償に用いられてよい。ＤＭＲＳは、ＮＲ−ＰＤＳＣＨの復調用、ＮＲ−ＰＤＣＣＨの復調用、および／またはＮＲ−ＰＢＣＨの復調用のＤＭＲＳを総じてＤＭＲＳと称してもよいし、それぞれ個別に定義されてもよい。
【００４１】
ＣＳＩ−ＲＳは、チャネル状態測定に用いられてよい。ＰＴＲＳは、端末の移動等により位相をトラックするために使用されてよい。ＭＲＳは、ハンドオーバのための複数の基
地局装置からの受信品質を測定するために使用されてよい。
【００４２】
また、参照信号には、位相雑音を補償するための参照信号が定義されてもよい。
【００４３】
ただし、上記複数の参照信号の少なくとも一部は、他の参照信号がその機能を有してもよい。
【００４４】
また、上記複数の参照信号の少なくとも１つ、あるいはその他の参照信号が、セルに対して個別に設定されるセル固有参照信号（Ｃｅｌｌ−ｓｐｅｃｉｆｉｃ  ｒｅｆｅｒｅｎｃｅ  ｓｉｇｎａｌ；ＣＲＳ）、基地局装置３あるいは送受信点４が用いる送信ビーム毎のビーム固有参照信号（Ｂｅａｍ−ｓｐｅｃｉｆｉｃ  ｒｅｆｅｒｅｎｃｅ  ｓｉｇｎａｌ；ＢＲＳ）、および／または、端末装置１に対して個別に設定される端末固有参照信号（ＵＥ−ｓｐｅｃｉｆｉｃ  ｒｅｆｅｒｅｎｃｅ  ｓｉｇｎａｌ；ＵＲＳ）として定義されてもよい。
【００４５】
また、参照信号の少なくとも１つは、無線パラメータやサブキャリア間隔などのヌメロロジーやＦＦＴの窓同期などができる程度の細かい同期（Fine synchronization）に用いられて良い。
【００４６】
また、参照信号の少なくとも１つは、無線リソース測定（ＲＲＭ：Radio Resource Measurement）に用いられてよい。また、参照信号の少なくとも１つは、ビームマネジメントに用いられてよい。
【００４７】
また、参照信号の少なくとも１つには、同期信号が用いられてもよい。
【００４８】
図１において、端末装置１と基地局装置３の上りリンク無線通信（端末装置１から基地局装置３の無線通信）では、以下の上りリンク物理チャネルが用いられる。上りリンク物理チャネルは、上位層から出力された情報を送信するために使用される。
・ＮＲ−ＰＵＣＣＨ（New Radio Physical Uplink Control CHannel）
・ＮＲ−ＰＵＳＣＨ（New Radio Physical Uplink Shared CHannel）
・ＮＲ−ＰＲＡＣＨ（New Radio Physical Random Access CHannel）
ＮＲ−ＰＵＣＣＨ（ＰＵＣＣＨと称してもよい）は、上りリンク制御情報（Uplink Control Information: UCI）を送信するために用いられる。ここで、上りリンク制御情報に
は、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下り
リンクデータ（Transport block, Medium Access Control Protocol Data Unit: MAC PDU, Downlink-Shared Channel: DL-SCH）に対するＨＡＲＱ−ＡＣＫを示してもよい。
【００４９】
ＮＲ−ＰＵＳＣＨ（ＰＵＳＣＨと称してもよい）は、媒介アクセス（MAC: Medium Access Control）からの上りリンクデータ（UL-SCH: Uplink Shared CHannel）の送信に用い
られる。また、上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００５０】
ＮＲ−ＰＵＳＣＨは、ＲＲＣシグナリング、および、ＭＡＣコントロールエレメントを送信するために用いられてもよい。ここで、ＮＲ−ＰＵＳＣＨは、上りリンクに置いてＵ
Ｅの能力（UE Capability）の送信に用いられてもよい。
【００５１】
なお、ＮＲ−ＰＤＣＣＨとＮＲ−ＰＵＣＣＨには同一の呼称（例えばＮＲ−ＰＣＣＨ）および同一のチャネル定義が用いられてもよいし。ＮＲ−ＰＤＳＣＨとＮＲ−ＰＵＳＣＨには同一の呼称（例えばＮＲ−ＰＳＣＨ）および同一のチャネル定義が用いられてもよい。
【００５２】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
基地局装置３は、ＮＲ−ＰＵＳＣＨまたはＮＲ−ＰＵＣＣＨの伝搬路補正を行なうためにＤＭＲＳを使用する。以下、ＮＲ−ＰＵＳＣＨとＤＭＲＳを共に送信することを、単にＮＲ−ＰＵＳＣＨを送信すると称する。以下、ＮＲ−ＰＵＣＣＨとＤＭＲＳを共に送信することを、単にＮＲ−ＰＵＣＣＨを送信すると称する。
【００５３】
基地局装置３は、上りリンクのチャネル状態を測定するためにＳＲＳを使用する
ＮＲ−ＰＲＡＣＨ（ＰＲＡＣＨと称してもよい）は、ランダムアクセスプリアンブルを送信するために用いられてもよい。ＮＲ−ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＮＲ−ＰＵＳＣＨ（ＵＬ−ＳＣＨ）リソースの要求を示すために用いられてもよい。
【００５４】
以下、サブフレームについて説明する。本実施形態ではサブフレームと称するが、リソースユニット、無線フレーム、時間区間、時間間隔などと称されてもよい。
【００５５】
図２は、本発明の実施形態に係る下りリンクスロットの概略構成の一例を示す図である。無線フレームのそれぞれは、１０ｍｓ長である。また、無線フレームのそれぞれは１０個のサブフレームおよびＸ個のスロットから構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。
【００５６】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００５７】
リソースブロックは、ある物理下りリンクチャネル（ＰＤＳＣＨなど）あるいは上りリンクチャネル（ＰＵＳＣＨなど）のリソースエレメントのマッピングを表現するために用
いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時間領域において７個の連続するＯＦＤＭシンボルと周波数領域において１２個の連続するサブキャリアとから定義される。つまり、１つの物理リソースブロックは、（７×１２）個のリソースエレメントから構成される。ＥＣＰ（Extended CP）の場合、１つの物理リ
ソースブロックは、例えば、時間領域において６個の連続するＯＦＤＭシンボルと、周波数領域において１２個の連続するサブキャリアとにより定義される。つまり、１つの物理リソースブロックは、（６×１２）個のリソースエレメントから構成される。このとき、１つの物理リソースブロックは、時間領域において１つのスロットに対応し、周波数領域において１８０ｋＨｚに対応する。物理リソースブロックは、周波数領域において０から番号が付けられている。
【００５８】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。そのため、スロット長は、サブキャリア間隔をΔｆ（ｋＨｚ）とすると、１スロットを構成するＯＦＤＭシンボル数が７の場合、スロット長は０．５／（Δｆ／１５）ｍｓで定義されてよい。ここで、Δｆはサブキャリア間隔（ｋＨｚ）で定義されてよい。また、１スロットを構成するＯＦＤＭシンボル数が７の場合、スロット長は１／（Δｆ／１５）ｍｓで定義されてよい。ここで、Δｆはサブキャリア間隔（ｋＨｚ）で定義されてよい。さらに、スロットに含まれるＯＦＤＭシンボル数をＸとしたときに、スロット長はＸ／１４／（Δｆ／１５）ｍｓで定義されてもよい。
【００５９】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでもよい。
【００６０】
図４に、スロットまたはサブフレームの一例を示している。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。
【００６１】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＮＲ−ＰＤＣＣＨを介して上りリンクのスケジューリングを行い、ＮＲ−ＰＤＣＣＨの処理遅延及び下りから上りの切り替え時間、送信信号の生成のためのギャップを介して上りリンク信号を送信する。図４（ｃ）は、最初の時間リソースで下りリンクのＮＲ−ＰＤＣＣＨおよび／または下りリンクのＮＲ−
ＰＤＳＣＨの送信に用いられ、処理遅延及び下りから上りの切り替え時間、送信信号の生成のためのギャップを介してＮＲ−ＰＵＳＣＨまたはＮＲ−ＰＵＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースでＮＲ−ＰＤＣＣＨおよび／またはＮＲ−ＰＤＳＣＨの送信に用いられ、処理遅延及び下りから上りの切り替え時間、送信信号の生成のためのギャップを介してＮＲ−ＰＵＳＣＨおよび／またはＮＲ−ＰＵＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（ＮＲ−ＰＵＳＣＨまたはＮＲ−ＰＵＣＣＨ）に用いられている例である。
【００６２】
上述の下りリンクパート、上りリンクパートは、ＬＴＥと同様複数のＯＦＤＭシンボルで構成されてよい。
【００６３】
本発明の実施形態におけるビームフォーミング、ビームマネジメントおよび／またはビームスウィーピングについて説明する。
【００６４】
送信側（下りリンクの場合は基地局装置３であり、上りリンクの場合は端末装置１である）におけるビームフォーミングは、複数の送信アンテナエレメントの各々に対してアナログまたはデジタルで振幅・位相を制御することで任意の方向に高い送信アンテナゲインで信号を送信する方法であり、そのフィールドパターンを送信ビームと称する。また、受信側（下りリンクの場合は端末装置１、上りリンクの場合は基地局装置３である）におけるビームフォーミングは、複数の受信アンテナエレメントの各々に対してアナログまたはデジタルで振幅・位相を制御することで任意の方向に高い受信アンテナゲインで信号を受信する方法であり、そのフィールドパターンを受信ビームと称する。ビームマネジメントは、送信ビームおよび／または受信ビームの指向性合わせ、ビーム利得を獲得するための基地局装置３および／または端末装置１の動作であってよい。
【００６５】
図５に、ビームフォーミングの一例を示す。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵ５０がアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００６６】
ビームフォーミングは、ヴァーチャライゼーション、プリコーディング、ウェイトの乗算などと称されてもよい。また、単にビームフォーミングを用いて送信された信号そのものを送信ビームと呼んでもよい。
【００６７】
本実施形態では、上りリンク送信のビームフォーミングで端末装置１が使用する送信ビームを上りリンク送信ビーム（UL Tx beam）と称し、上りリンク受信のビームフォーミングで基地局装置３が使用する受信ビームを上りリンク受信ビーム（UL Rx beam）と称する。ただし、上りリンク送信ビームを端末装置１における送信空間フィルタ設定と称し、上りリンク受信ビームを基地局装置３における受信空間フィルタ設定と称してもよい。また、下りリンク送信のビームフォーミングで基地局装置３が使用する送信ビームを下りリンク送信ビーム（DL Tx beam）と称し、下りリンク受信のビームフォーミングで端末装置１が使用する受信ビームを下りリンク受信ビーム（DL Rx beam）と称する。ただし、下りリンク送信ビームを基地局装置３における送信空間フィルタ設定と称し、下りリンク受信ビームを端末装置１における受信空間フィルタ設定と称してもよい。ただし、上りリンク送
信ビームと上りリンク受信ビームを総じて上りリンクビーム、下りリンク送信ビームと下りリンク受信ビームを総じて下りリンクビームと称してもよい。ただし、上りリンクビームフォーミングのために端末装置１が行う処理を上りリンク送信ビーム処理、または上りリンクプリコーディングと称し、上りリンクビームフォーミングのために基地局装置３が行う処理を上りリンク受信ビーム処理と称してもよい。ただし、下りリンクビームフォーミングのために端末装置１が行う処理を下りリンク受信ビーム処理と称し、下りリンクビームフォーミングのために基地局装置３が行う処理を下りリンク送信ビーム処理または下りリンクプリコーディングと称してもよい。
【００６８】
ただし、１ＯＦＤＭシンボルで基地局装置３が複数の下りリンク送信ビームを用いて信号を送信してもよい。例えば、基地局装置３のアンテナエレメントをサブアレーに分割して各サブアレーで異なる下りリンクビームフォーミングを行ってもよい。偏波アンテナを用いて各偏波で異なる下りリンクビームフォーミングを行ってもよい。同様に１ＯＦＤＭシンボルで端末装置１が複数の上りリンク送信ビームを用いて信号を送信してもよい。
【００６９】
ただし、本実施形態では、基地局装置３および／または送受信点４が構成するセル内で当該基地局装置３が複数の下りリンク送信ビームを切り替えて使用する場合を説明するが、下りリンク送信ビーム毎に個別のセルが構成されてもよい。
【００７０】
本実施形態に係るビームマネジメントには、下記の動作を含んでよい。
・ビーム選択（Beam selection）
・ビーム改善（Beam refinement）
・ビームリカバリ（Beam recovery）
例えば、ビーム選択は、基地局装置３と端末装置１の間の通信においてビームを選択する動作であってよい。また、ビーム改善は、さらに利得の高いビームの選択、あるいは端末装置１の移動によって最適な基地局装置３と端末装置１の間のビームの変更をする動作であってよい。ビームリカバリは、基地局装置３と端末装置１の間の通信において遮蔽物や人の通過などにより生じるブロッケージにより通信リンクの品質が低下した際にビームを再選択する動作であってよい。上記の動作は、上記の目的に限定されない。基地局装置３は、さまざまな状況でビームマネジメントを行うため、目的を限定しなくても、効果を発揮しうる。
【００７１】
例えば、端末装置１における基地局装置３の送信ビームを選択する際に参照信号（例えば、ＣＳＩ−ＲＳ）を用いてもよいし、擬似同位置（ＱＣＬ：Quasi Co-Location）想定
を用いてもよい。
【００７２】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７３】
このＱＣＬは、ビームマネジメントにも拡張されうる。そのために、空間に拡張したＱＣＬが新たに定義されてもよい。例えば、空間のＱＣＬ想定におけるチャネルの長区間特性（Long term property）として、以下の一つまたは複数を、上記に加えてさらに含んでもよい。
・無線リンクあるいはチャネルにおける到来角（AoA（Angle of Arrival）, ZoA（Zenith
angle of Arrival）など）および／またはその角度広がり（Angle Spread、例えばASA（
Angle Spread of Arrival）やZSA（Zenith angle Spread of Arrival））
・無線リンクあるいはチャネルにおける送出角（AoD, ZoDなど）および／またはその角度広がり（Angle Spread、例えばASD（Angle Spread of Departure）やZSS（Zenith angle Spread of Departure））
・空間相関（Spatial Correlation）
この方法により、ビームマネジメントとして、空間のＱＣＬ想定と無線リソース（時間および／または周波数）によりビームマネジメントと等価な基地局装置３、端末装置１の動作が定義されてもよい。
【００７４】
ただし、プリコーディングあるいは送信ビームの各々に対してアンテナポートが割り当てられてもよい。例えば、本実施形態に係る異なるプリコーディングを用いて送信される信号あるいは異なる送信ビームを用いて送信される信号は異なる一つまたは複数のアンテナポートで送信される信号として定義されてもよい。ただし、アンテナポートは、あるアンテナポートであるシンボルが送信されるチャネルを、同一のアンテナポートで別のシンボルが送信されるチャネルから推定できるものとして定義される。同一のアンテナポートとは、アンテナポートの番号（アンテナポートを識別するための番号）が、同一であることであってもよい。複数のアンテナポートでアンテナポートセットが構成されてもよい。同一のアンテナポートセットとは、アンテナポートセットの番号（アンテナポートセットを識別するための番号）が、同一であることであってもよい。異なる上りリンク送信ビームを適用して信号を送信するとは、異なるアンテナポートまたは複数のアンテナポートで構成される異なるアンテナポートセットで信号を送信することであってもよい。ビームインデックスはそれぞれＯＦＤＭシンボル番号、アンテナポート番号またはアンテナポートセット番号であってもよい。
【００７５】
トランスフォームプリコーディングには、レイヤマッピングで生成された、一つまたは複数のレイヤに対する複素変調シンボルが入力される。トランスフォームプリコーディングは、複素数シンボルのブロックを、一つのＯＦＤＭシンボルに対応するそれぞれのレイヤごとのセットに分割する処理であってもよい。ＯＦＤＭが使われる場合には、トランスフォームプリコーディングでのＤＦＴ（Discrete Fourier Transform）の処理は必要ないかもしれない。
【００７６】
プリコーディングは、トランスフォームプリコーダからの得られたベクターのブロックを入力として、リソースエレメントにマッピングするベクターのブロックを生成することであってもよい。空間多重の場合、リソースエレメントにマッピングするベクターのブロックを生成する際に、プリコーディングマトリックスの一つを適応してもよい。この処理を、デジタルビームフォーミングと呼んでもよい。また、プリコーディングは、アナログビームフォーミングとデジタルビームフォーミングを含んで定義されてもよいし、デジタルビームフォーイングとして定義されてもよい。プリコーディングされた信号にビームフォーミングが適用されるようにしてもよいし、ビームフォーミングが適用された信号にプリコーディングが適用されるようにしてもよい。
【００７７】
ビームフォーミングは、アナログビームフォーミングを含んでデジタルビームフォーミングを含まなくてもよいし、デジタルビームフォーミングとアナログビームフォーミングの両方を含んでもよい。ビームフォーミングされた信号、プリコーディングされた信号、またはビームフォーミングおよびプリコーディングされた信号をビームと呼んでもよい。ビームのインデックスはプレコーディングマトリックスのインデックスでもよい。ビームのインデックスとプリコーディングマトリックスのインデックスが独立に定義されてもよい。ビームのインデックスで示されたビームにプリコーディングマトリックスのインデックスで示されるプリコーディングマトリックスを適用して信号を生成してもよい。プリコーディングマトリックスのインデックスで示されるプリコーディングマトリックスを適用
した信号に、ビームのインデックスで示されたビームフォーミングを適用して信号を生成してもよい。デジタルビームフォーミングは、周波数方向のリソース（例えば、サブキャリアのセット）に異なるプリコーディングマトリックス適応することかもしれない。
【００７８】
ただし、本実施形態では、所定の送信ビームおよび／または所定の受信ビームを用いて構成される無線リンクをビームペアリンクと称してもよい。例えば、下りリンクにおいて、異なる下りリンク送信ビームおよび／または異なる下りリンク受信ビームを用いて構成されるビームペアリンクを、異なる下りリンクビームペアリンクとしてもよい。例えば、上りリンクにおいて、異なる上りリンク送信ビームおよび／または異なる上りリンク受信ビームを用いて構成されるビームペアリンクを、異なる上りリンクビームペアリンクとしてもよい。例えば、端末装置１があるセルにおいて複数の下りリンク送信ビームおよび／または複数の下りリンク受信ビームを用いて下りリンク信号を受信しうる状態を、複数の下りリンクビームペアリンクを有する状態と称してもよい。例えば、端末装置１があるセルにおいて複数の上りリンク送信ビームおよび／または複数の上りリンク受信ビームを用いて上りリンク信号を送信しうる状態を、複数の上りリンクビームペアリンクを有する状態と称してもよい。下りリンクビームペアリンクは、基地局装置から受信した情報に基づいて一つまたは複数の下りリンク参照信号に関連付けられた一つまたは複数の下りリンク物理信号または一つまたは複数の下りリンク物理チャネルと称してもよい。この関連付けはＱＣＬ設定によって行われてもよい。ＱＣＬ設定は、送信設定識別子（ＴＣＩ）で識別される一つまたは複数の下りリンク参照信号と一つまたは複数のＰＤＳＣＨ  ＤＭＲＳポートの関連付けを設定する情報を含んでもよい。ＱＣＬ設定は、ＴＣＩと制御リソースセット（ＣＯＲＥＳＥＴ：COntrol REsource SET）を関連付ける情報を含んでもよい。下りリンクビームペアリンクに、端末装置１が下りリンク受信ビームを関連付けるようにしてもよい。上りリンクビームペアリンクは、基地局装置から受信した情報に基づいて一つまたは複数の上りリンク参照信号（ＳＲＳなど）に関連付けられた一つまたは複数の上りリンク物理信号または一つまたは複数の上りリンク物理チャネルと称してもよい。上りリンクビームペアリンクに、基地局装置３が上りリンク受信ビームを関連付けるようにしてもよい。
【００７９】
図６は、端末装置１と基地局装置３がセル１００において複数の下りリンクビームペアリンクを構成している場合を示している。第１の下りリンクビームペアリンクとして、基地局装置３から下りリンク送信ビームｔ１を用いて送信される下りリンク信号に対して端末装置１は下りリンク受信ビームｒ１を用いて受信する。第２の下りリンクビームペアリンクとして、基地局装置３から下りリンク送信ビームｔ２を用いて送信される下りリンク信号に対して端末装置１は下りリンク受信ビームｒ２を用いて受信する。第３の下りリンクビームペアリンクとして、基地局装置３から下りリンク送信ビームｔ３を用いて送信される下りリンク信号に対して端末装置１は下りリンク受信ビームｒ３を用いて受信する。この場合、端末装置１と基地局装置３の間には３つの下りリンクビームペアリンクが構成されており、３つの下りリンクビームペアリンクの全てあるいは一部で下りリンクの送受信が行われる。例えば、端末装置１は各下りリンクビームペアリンクにおいて参照信号による受信電力および／または受信品質の測定を行なう。
【００８０】
ただし、１つの下りリンク送信ビームに対して、複数の下りリンク受信ビームを用いて複数の下りリンクビームペアリンクが構成されてもよい。ただし、１つの下りリンク受信ビームに対して、複数の下りリンク送信ビームを用いて複数の下りリンクビームペアリンクが構成されてもよい。ただし、用いられる下りリンク受信ビームに関わらず、１つの下りリンク送信ビームに対して１つの下りリンクビームペアリンクが対応付けられてもよい。ただし、用いられる上りリンク送信ビームに関わらず、１つの上りリンク受信ビームに対して１つの上りリンクビームペアリンクが対応付けられてもよい。
【００８１】
図７は、本実施形態に係るＳＳ（Synchronization Signal）ブロック（同期信号ブロック、同期信号／物理報知チャネルブロック（ＳＳ／ＰＢＣＨブロック）とも称される）およびＳＳバーストセット（同期信号バーストセットとも称される）の例を示す図である。図７は、周期的に送信されるＳＳバーストセット内に２つのＳＳブロックが含まれ、ＳＳブロックは、４ＯＦＤＭシンボルで構成される例を示している。
【００８２】
ＳＳブロックは、同期信号（例えばＮＲ−ＰＳＳ、ＮＲ−ＳＳＳ）、および／またはＮＲ−ＰＢＣＨから構成される単位ブロックである。基地局装置３はＳＳバーストセット内の１つまたは複数のＳＳブロックを用いて同期信号および／またはＮＲ−ＰＢＣＨを送信する場合に、ＳＳブロック毎に独立した下りリンク送信ビームを用いてもよい。
【００８３】
図７において、１つのＳＳブロックにはＮＲ−ＰＳＳ、ＮＲ−ＳＳＳ、ＮＲ−ＰＢＣＨが時間多重され、ＮＲ−ＰＳＳおよび／またはＮＲ−ＳＳＳの帯域幅よりも広い帯域幅で送信されたＮＲ−ＰＢＣＨが２シンボル時間多重される例を示している。ただし、ＮＲ−ＰＳＳ、ＮＲ−ＳＳＳおよび／またはＮＲ−ＰＢＣＨが時間領域で多重される順番は図７に示す例と異なってもよい。例えば、ＮＲ−ＰＢＣＨを２シンボルで送信する場合に２つのＮＲ−ＰＢＣＨシンボルの間にＮＲ−ＳＳＳを送信するＯＦＤＭシンボルが存在してもよい。ただし、ＮＲ−ＰＢＣＨの一部がＮＲ−ＳＳＳと同じシンボルに周波数多重されてもよい。
【００８４】
ＳＳバーストセットは、周期的に送信されてよい。例えば、初期アクセスに使用されるための周期と、接続されている（ConnectedまたはRRC_Connected）端末装置のために設定する周期が定義されてもよい。また、接続されている（ConnectedまたはRRC_Connected）端末装置のために設定する周期はＲＲＣ層で設定されてよい。また、接続されている（ConnectedまたはRRC_Connected）端末のために設定する周期は潜在的に送信する可能性がある時間領域の無線リソースの周期であって、実際には基地局装置３が送信するかどうかを決めてもよい。また、初期アクセスに使用されるための周期は、仕様書などに予め定義されてよい。
【００８５】
ＳＳバーストセットは、システムフレーム番号（ＳＦＮ：System Frame Number）に基
づいて決定されてよい。また、ＳＳバーストセットの開始位置（バウンダリ）は、ＳＦＮと周期に基づいて決定されてよい。
【００８６】
ＳＳブロックは、ＳＳバーストセット内の時間的な位置に応じてインデックス（ＳＳブロックインデックスとも称される）が割り当てられる。端末装置１は、検出したＳＳブロックに含まれるＮＲ−ＰＢＣＨの情報および／または参照信号の情報に基づいてインデックスを算出する。
【００８７】
複数のＳＳバーストセットにおける各ＳＳバーストセット内における相対的な時間が同じＳＳブロックは、同じＳＳブロックインデックスが割り当てられる。複数のＳＳバーストセットにおける各ＳＳバーストセット内における相対的な時間が同じＳＳブロックは、同じ下りリンク送信ビームが適用されていると想定されてもよい。また、複数のＳＳバーストセットにおける各ＳＳバーストセット内における相対的な時間が同じＳＳブロックにおけるアンテナポートは、平均遅延、ドップラーシフト、空間相関に関してＱＣＬであると想定されてもよい。
【００８８】
あるＳＳバーストセットの周期内で、同じインデックスが割り当てられているＳＳブロックは、平均遅延、平均ゲイン、ドップラースプレッド、ドップラーシフト、空間相関に関してＱＣＬであると想定されてもよい。ＱＣＬである１つまたは複数のＳＳブロック（あるいは参照信号であってもよい）に対応する設定をＱＣＬ設定と称してもよい。
【００８９】
ＳＳブロック数は、例えばＳＳバースト、またはＳＳバーストセット内、またはＳＳブロックの周期の中のＳＳブロック数（個数）として定義されてよい。また、ＳＳブロック数は、ＳＳバースト内、またはＳＳバーストセット内、またはＳＳブロックの周期の中のセル選択のためのビームグループの数を示してもよい。ここで、ビームグループは、ＳＳバースト内、またはＳＳバーストセット内、またはＳＳブロックの周期の中に含まれるＳＳブロックまたは異なるビームの数として定義されよい。
【００９０】
以下、本実施形態で説明する参照信号は、下りリンク参照信号、同期信号、ＳＳブロック、下りリンクＤＭ−ＲＳ、ＣＳＩ−ＲＳ、上りリンク参照信号、ＳＲＳ、および／または、上りリンクＤＭ−ＲＳを含む。例えば、下りリンク参照信号、同期信号および／またはＳＳブロックを参照信号と称してもよい。下りリンクで使用される参照信号は、下りリンク参照信号、同期信号、ＳＳブロック、下りリンクＤＭ−ＲＳ、ＣＳＩ−ＲＳなどを含む。上りリンクで使用される参照信号は、上りリンク参照信号、ＳＲＳ、および／または、上りリンクＤＭ−ＲＳなどを含む。
【００９１】
本実施形態に係るＳＲＳリソースの通知について説明する。
【００９２】
基地局装置３は、端末装置１に対して、ＳＲＳリソースインディケータ（ＳＲＳ  Ｒｅｓｏｕｒｃｅ  Ｉｎｄｉｃａｔｏｒ：ＳＲＩ））を送信することによって、ＳＲＳを送信したリソースの１つまたは複数を通知する。１つまたは複数のＳＲＳリソースは、少なくとも１つのアンテナポート、および／または１つの上りリンク送信ビーム（端末装置１の送信空間フィルタ設定あるいはプレコーダであってもよい）に関連付けられている。ＳＲＩの情報を受信した端末装置１は、該ＳＲＩに基づいて上りリンク送信に用いるアンテナポート、および／または上りリンク送信ビームを決定してもよい。
【００９３】
本実施形態のランダムアクセス手順（Random Access procedure）について説明する。
【００９４】
ランダムアクセス手順は、競合ベース（ＣＢ：Ｃｏｎｔｅｎｔｉｏｎ  Ｂａｓｅｄ）と非競合ベース（ｎｏｎ−Ｃｏｎｔｅｎｔｉｏｎ  ｂａｓｅｄ）（ＣＦ：Ｃｏｎｔｅｎｔｉｏｎ  Ｆｒｅｅと称してもよい）の２つの手順に分類される。
【００９５】
端末装置１は、基地局装置３と接続（通信）していない状態からの初期アクセス時、および／または、基地局装置３と接続中であるが端末装置１に送信可能な上りリンクデータあるいは送信可能なサイドリンクデータが発生した場合のスケジューリングリクエスト時などにおいて競合ベースのランダムアクセス手順を行なう。ただし、ランダムアクセスの用途はこれらに限定されない。
【００９６】
端末装置１に送信可能な上りリンクデータが発生していることは、送信可能な上りリンクデータに対応するバッファステータスレポートがトリガーされていることを含んでもよい。端末装置１に送信可能な上りリンクデータが発生していることは、送信可能な上りリンクデータの発生に基づいてトリガーされたスケジューリングリクエストがペンディングされていることを含んでもよい。
【００９７】
端末装置１に送信可能なサイドリンクデータが発生していることは、送信可能なサイドリンクデータに対応するバッファステータスレポートがトリガーされていることを含んでもよい。端末装置１に送信可能なサイドリンクデータが発生していることは、送信可能なサイドリンクデータの発生に基づいてトリガーされたスケジューリングリクエストがペンディングされていることを含んでもよい。
【００９８】
非競合ベースのランダムアクセス手順は、基地局装置３から指示されたランダムアクセスプリアンブルインデックスに対応するプリアンブルを使用してランダムアクセスを行う手順であってもよく、基地局装置３と端末装置１とが接続中であるがハンドオーバや移動局装置の送信タイミングが有効でない場合に、迅速に端末装置１と基地局装置３との間の上りリンク同期をとるためなどに用いられる。ただし、ランダムアクセスの用途はこれらに限定されない。
【００９９】
端末装置１は、基地局装置３からランダムアクセス手順の開始を指示する情報を受信した場合に、非競合ベースのランダムアクセス手順を行なってもよい。ただし、該ランダムアクセス手順の開始を指示する情報はメッセージ０、Ｍｓｇ．０、ＮＲ−ＰＤＣＣＨオーダー、ＰＤＣＣＨオーダーなどと称されてもよい。
【０１００】
ただし、端末装置１は、メッセージ０で指示されたランダムアクセスプリアンブルインデックスが所定の値（例えば、インデックスを示すビットが全て０である場合）であった場合に、端末装置１が利用可能なプリアンブルのセットの中からランダムに１つを選択して送信する競合ベースのランダムアクセス手順を行なってもよい。
【０１０１】
本実施形態の端末装置１は、ランダムアクセス手順を開始する（initiate）前に上位層を介してランダムアクセス設定情報を受信する。該ランダムアクセス設定情報には下記の情報または下記の情報を決定／設定するための情報が含まれてよい。
・ランダムアクセスプリアンブルの送信に利用可能な１つまたは複数の時間−周波数リソースのセット
・１つまたは複数のランダムアクセスプリアンブルグループ
・利用可能な１つまたは複数のランダムアクセスプリアンブルあるいは前記複数のランダムアクセスプリアンブルグループにおいて利用可能な１つまたは複数のランダムアクセスプリアンブル
・ランダムアクセス応答のウィンドウサイズおよび衝突解消（コンテンションレゾリューション：Contention Resolution）タイマー（mac-ContentionResolutionTimer）
・パワーランピングステップ
・プリアンブル送信の最大送信回数
・プリアンブルの初期送信電力
・プリアンブルフォーマットに基づく電力オフセット
・パワーランピングの最大回数
ただし、ランダムアクセス設定情報の一部は、ＳＳバーストセット内の全てのＳＳブロックに関連付けられていてもよい。ただし、ランダムアクセス設定情報の一部は設定された１つまたは複数のＣＳＩ−ＲＳの全てに関連付けられてもよい。ただし、ランダムアクセス設定情報の一部は１つの下りリンク送信ビーム（あるいはビームインデックス）に関連付けられていてもよい。
【０１０２】
ただし、ランダムアクセス設定情報の一部はＳＳバーストセット内の１つのＳＳブロックに関連付けられていてもよい。ただし、ランダムアクセス設定情報の一部は設定された１つまたは複数のＣＳＩ−ＲＳのうちの１つに関連付けられてもよい。ただし、ランダムアクセス設定情報の一部は１つの下りリンク送信ビーム（あるいはビームインデックス）に関連付けられていてもよい。
【０１０３】
ただし、ＳＳバーストセット内のＳＳブロック毎にランダムアクセス設定情報が設定されてもよいし、同信号バーストセット内の全てのＳＳブロックで共通の１つのランダムアクセス設定情報が設定されてもよい。端末装置１は、下りリンク信号によって１つまたは複数のランダムアクセス設定情報を受信し、該１つまたは複数のランダムアクセス設定情報のそれぞれがＳＳブロック（ＣＳＩ−ＲＳまたは下りリンク送信ビームであってもよい
）に関連付けられていてもよい。端末装置１は、受信した１つまたは複数のＳＳブロック（ＣＳＩ−ＲＳまたは下りリンク送信ビームであってもよい）のうちの１つを選択し、選択したＳＳブロックに関連付けられたランダムアクセス設定情報を用いてランダムアクセス手順を行なってもよい。
【０１０４】
図８は、本実施形態に係るランダムアクセス設定情報の構成の例を示す図である。図８では、端末装置１が第１のＳＳブロックに対応するランダムアクセス設定情報と第２のＳＳブロックに対応するランダムアクセス設定情報を受信している。第１のＳＳブロックに対応するランダムアクセス設定情報と第２のＳＳブロックに対応するランダムアクセス設定情報のそれぞれがランダムアクセスに利用可能なプリアンブルグループ、時間−周波数リソースのセット、および、その他の情報を含んでいる。
【０１０５】
ただし、図８では、端末装置１が２つのＳＳブロックに対応する２つのランダムアクセス設定情報を受信している場合を示しているが、端末装置１が３つ以上のＳＳブロックに対応する３つ以上のランダムアクセス設定情報を受信してもよい。
【０１０６】
ただし、図８の例では、ランダムアクセス設定情報に含まれる各情報はＳＳブロック毎に存在する場合を示しているが、ランダムアクセス設定情報に含まれる情報の一部が複数のＳＳブロックで共通に設定されていてもよい。例えば、ランダムアクセス設定情報の一部は、ＳＳブロック、ＣＳＩ−ＲＳあるいは下りリンク送信ビーム（基地局装置３の送信フィルタ設定）毎に設定される情報であってもよく、その他がセル毎に設定される情報であってもよい。
【０１０７】
ランダムアクセスプリアンブルの送信に利用可能な１つまたは複数の時間−周波数リソース（以下ではランダムアクセスチャネル（ＲＡＣＨ）機会（RACH occasion）と称する
。ただし、物理ランダムアクセスチャンネル機会（PRACH occasion）、またはランダムアクセスチャネル送信機会（RACH transmission occasion）と称される場合もある）のセットは、参照信号（例えば、ＳＳブロック、ＣＳＩ−ＲＳまたは下りリンク送信ビーム）毎に設定されていてもよい。例えば、ランダムアクセス設定情報に含まれるランダムアクセスプリアンブルの送信に利用可能な１つまたは複数のＲＡＣＨ機会のそれぞれは、設定されたプリアンブルフォーマットを用いて送信される１つのランダムアクセスプリアンブルのための時間−周波数リソースであってよい。例えば、ランダムアクセス設定情報に含まれるランダムアクセスプリアンブルの送信に利用可能な１つまたは複数のＲＡＣＨ機会のそれぞれは、１つの上りリンク送信ビームを用いて、設定されたプリアンブルフォーマットを用いて送信される１つのランダムアクセスプリアンブルのための時間−周波数リソースであってよい。ＲＡＣＨ機会は、ランダムアクセスプリアンブルの送信に利用可能な１つまたは複数の時間リソースのことを意味してもよい。その場合、ＲＡＣＨ機会の特定は、時間リソースのみとなってしまうため、ランダムアクセスプリアンブルの送信に利用する周波数リソースの特定がさらに行われる。端末装置１は受信した参照信号（例えば、ＳＳブロック、ＣＳＩ−ＲＳまたは下りリンク送信ビーム）に基づいてランダムアクセスプリアンブルの送信に利用可能な１つまたは複数のＲＡＣＨ機会のセットを選択してもよい。ただし、ＲＡＣＨ機会は、ランダムアクセス設定情報で通知される設定インデックスに関連付けられていてもよい。ただし、１つまたは複数のＲＡＣＨ機会のセットをランダムアクセスチャネルリソース（RACH resource）と称してもよい。
【０１０８】
例えば、ランダムアクセス設定情報に含まれる１つまたは複数のランダムアクセスプリアンブルグループのそれぞれは、参照信号（例えば、ＳＳブロック、ＣＳＩ−ＲＳまたは下りリンク送信ビーム）毎に関連付けられていてもよい。端末装置１は受信した参照信号（例えば、ＳＳブロック、ＣＳＩ−ＲＳまたは下りリンク送信ビーム）に基づいてのランダムアクセスプリアンブルグループを選択してもよい。
【０１０９】
ただし、各ＳＳブロックに関連付けられているランダムアクセスプリアンブルグループは、上位層で通知される１つまたは複数のパラメータによって特定されてもよい。該１つまたは複数のパラメータの１つは、ＳＳブロックあたりで競合ベースランダムアクセスに使用可能なプリアンブルの数であってもよい。該１つまたは複数のパラメータの１つは、ＳＳブロックあたりで競合ベースランダムアクセスに使用可能なプリアンブルの数と非競合ベースランダムアクセスに使用可能なプリアンブルの数の合計であってもよい。該１つまたは複数のパラメータの１つは、１つのＲＡＣＨ機会に関連付けられているＳＳブロックの数であってもよい。
【０１１０】
ただし、図８の例では、１つのランダムアクセス設定情報が１つのＳＳブロックに対応付けられている場合を示しているが、該１つのランダムアクセス設定情報は１つのインデックス（例えば、ＳＳブロックインデックス、ＣＳＩ−ＲＳインデックス、あるいは、下りリンク送信ビームインデックス等）に対応付けられていてもよい。
【０１１１】
ただし、端末装置１は、それぞれ１つの下りリンク送信ビームを用いて送信された１つまたは複数の下りリンク信号を受信し、その中の１つの下りリンク信号に関連付けられたランダムアクセス設定情報を受信し、該受信したランダムアクセス設定情報に基づいてランダムアクセス手順を行なってもよい。端末装置１は、ＳＳバーストセット内の１つまたは複数のＳＳブロックを受信し、その中の１つのＳＳブロックに関連付けられたランダムアクセス設定情報を受信し、該受信したランダムアクセス設定情報に基づいてランダムアクセス手順を行なってもよい。端末装置１は、１つまたは複数のＣＳＩ−ＲＳを受信し、その中の１つのＣＳＩ−ＲＳに関連付けられたランダムアクセス設定情報を受信し、該受信したランダムアクセス設定情報に基づいてランダムアクセス手順を行なってもよい。
【０１１２】
１つまたは複数のランダムアクセス設定情報は、１つのランダムアクセスチャネル設定（RACH-Config）および／または１つの物理ランダムアクセスチャネル設定（PRACH-Config）で構成されてもよい。
【０１１３】
ランダムアクセスチャネル設定の中に参照信号毎のランダムアクセスに関するパラメータが含まれてもよい。
【０１１４】
物理ランダムアクセスチャネル設定中に参照信号毎の物理ランダムアクセスチャネルに関するパラメータ（ＰＲＡＣＨ設定のインデックス、ＲＡＣＨ機会など）が含まれてもよい。
【０１１５】
１つのランダムアクセス設定情報は、１つの参照信号に対応するランダムアクセスに関するパラメータを示し、複数のランダムアクセス設定情報は、複数の参照信号に対応する複数のランダムアクセスに関するパラメータを示してもよい。
【０１１６】
１つのランダムアクセス設定情報は、１つの参照信号に対応する物理ランダムアクセスに関するパラメータを示し、複数の参照信号に対応する複数のランダムアクセスに関するパラメータを示してもよい。
【０１１７】
対応する参照信号が選択されれば、参照信号に対応するランダムアクセス設定情報（参照信号に対応するランダムアクセスチャネル設定、参照信号に対応する物理ランダムアクセスチャネル設定）が選択されるようにしてもよい。
【０１１８】
ただし、端末装置１は、ランダムアクセスプリアンブルを送信する基地局装置３および／または送受信点４とは異なる基地局装置３および／または送受信点４から一つまたは複
数のランダムアクセス設定情報を受信してもよい。例えば、端末装置１は第１の基地局装置３から受信したランダムアクセス設定情報の少なくとも１つに基づいて第２の基地局装置３へランダムアクセスプリアンブルを送信してもよい。
【０１１９】
ただし、基地局装置３は、端末装置１が送信したランダムアクセスプリアンブルを受信することにより、該端末装置１へ下りリンク信号を送信する際に適用すべき下りリンク送信ビームを決定してもよい。端末装置１は、ある下りリンク送信ビームに関連付けられたランダムアクセス設定情報に示されるＲＡＣＨ機会を用いてランダムアクセスプリアンブルを送信してもよい。基地局装置３は、端末装置１から受信したランダムアクセスプリアンブル、および／または、該ランダムアクセスプリアンブルを受信したＲＡＣＨ機会に基づいて、該端末装置１へ下りリンク信号を送信する際に適用すべき下りリンク送信ビームを決定してもよい。
【０１２０】
本実施形態に係る端末装置１が、複数のランダムアクセス設定情報を受信し、該複数のランダムアクセス設定情報からランダムアクセス手順に使用する１つのランダムアクセス設定情報の選択する場合の選択ルールについて説明する。
【０１２１】
端末装置１は、基地局装置３との間の伝搬路特性に基づいてランダムアクセス手順に使用するランダムアクセス設定情報を選択してもよい。端末装置１は、基地局装置３から受信した参照信号（例えば、ＳＳブロックおよび／またはＣＳＩ−ＲＳ）により測定した伝搬路特性に基づいてランダムアクセス手順に使用するランダムアクセス設定情報を選択してもよい。
【０１２２】
端末装置１は、受信した複数のランダムアクセス設定情報から１つのランダムアクセス設定情報をランダムに選択してもよい。
【０１２３】
端末装置１は、基地局装置３から受信した下りリンク信号に基づいて、受信した複数のランダムアクセス設定情報から１つのランダムアクセス設定情報を選択してもよい。ただし、該下りリンク信号は、ランダムアクセスプリアンブルの送信先である基地局装置３から受信したものであってもよいし、異なる基地局装置３から受信したものであってもよい。例えば、第１のセルを形成する第１の基地局装置３からの下りリンク信号に基づいて選択したランダムアクセス設定情報を第２のセルを形成する第２の基地局装置３とのランダムアクセス手順に用いてもよい。
【０１２４】
ランダムアクセス設定情報に含まれる利用可能な１つまたは複数のＲＡＣＨ機会として、それぞれランダムアクセスプリアンブルを送信可能なサブキャリアインデックス、リソースブロックインデックス、サブフレーム番号、システムフレーム番号、シンボル番号、および／または、プリアンブルのフォーマットが設定されてもよい。
【０１２５】
端末装置１が基地局装置３からメッセージ０を受信した場合のランダムアクセス手順は、図９に示すように、端末装置１と基地局装置３との間の複数のメッセージの送受信により実現される。
【０１２６】
＜メッセージ０（Ｓ８０１）＞
基地局装置３は、端末装置１に対して、下りリンクの専用シグナリング（dedicated signalling）によって、１つまたは複数の非競合ランダムアクセスプリアンブルを割り当てる。ただし、非競合ランダムアクセスプリアンブルは、ブロードキャストシグナリングによって通知されたセットに含まれていないランダムアクセスプリアンブルのことであってもよい。基地局装置３は、複数の参照信号を送信している場合に、該複数の参照信号の少なくとも一部のそれぞれに対応する複数の非競合ランダムアクセスプリアンブルを割り当
ててよい。
【０１２７】
非競合ランダムアクセスプリアンブルを割り当てる下りリンクの専用シグナリングはメッセージ０またはＭｓｇ０と称される。メッセージ０は、ハンドオーバのために、ターゲットの基地局装置３によって生成され、元の（source）基地局装置３によって送信されたハンドオーバ（HO）コマンドであってもよい。メッセージ０は、ＰＤＣＣＨオーダーであってもよい。メッセージ０は、ＲＲＣ信号および／またはＰＤＣＣＨで送信されてもよい。
【０１２８】
メッセージ０が示す情報には、プリアンブルインデックス情報、マスクインデックス情報、ＳＲＩ（SRS Resource Indicator）情報、ＳＳブロック再選択指示情報（SS block Re-selection Indicator）、ランダムアクセス設定再選択指示情報（Random Access Configuration Re-selection Indicator）、ＣＳＩ−ＲＳ選択指示情報、ＲＳタイプ選択指示
情報、および／または、ＴＣＩが含まれてもよい。
【０１２９】
プリアンブルインデックス情報は、ランダムアクセスプリアンブルの生成に用いられる１つまたは複数のプリアンブルインデックスを示す情報である。ただし、プリアンブルインデックス情報が所定の値である場合に、端末装置１は、利用可能な１つまたは複数のランダムアクセスプリアンブルから１つをランダムに選択してもよい。
【０１３０】
マスクインデックス情報は、ランダムアクセスプリアンブルの送信に利用可能な時間−周波数リソースのインデックスを示す情報である。ただし、マスクインデックス情報により示される時間リソースおよび／または周波数リソースは１つの特定のリソースであってもよいし、選択可能な複数のリソースを示すものであってもよいし、異なるインデックスが１つの特定リソースと選択可能な複数のリソースのそれぞれを示してもよい。
【０１３１】
ただし、プリアンブルインデックス情報とマスクインデックス情報は１つのインデックス情報で示されてもよい。例えば、１つのインデックスで端末装置１がランダムアクセスプリアンブルの送信に利用可能なプリアンブル（系列、コードと称されてもよい）、時間リソースおよび周波数リソースの全てまたはその一部が示されてもよい。
【０１３２】
ただし、プリアンブルインデックス情報および／またはマスクインデックス情報は、ＳＳブロックごとに異なる値が設定されてもよい。例えば、端末装置１は、受信した１つまたは複数のＳＳブロックの中から１つを選択し、選択したＳＳブロックに関連付けられたプリアンブルインデックス情報および／またはマスクインデックス情報を用いてランダムアクセスプリアンブルを送信してもよい。
【０１３３】
ただし、プリアンブルインデックス情報および／またはマスクインデックス情報は、複数のＳＳブロックで共通の値が設定されてもよい。例えば、端末装置１は、受信した１つまたは複数のＳＳブロックの中から１つを選択し、選択したＳＳブロックに関連付けられたランダムアクセス設定を選択し、利用可能なプリアンブルおよび／または時間／周波数リソースに対して、受信したプリアンブルインデックス情報および／またはマスクインデックス情報に対応するランダムアクセスプリアンブルを送信してもよい。
【０１３４】
ＳＲＩ情報は、基地局装置３が設定している１つまたは複数のＳＲＳ送信用リソースのインデックスのうちの少なくとも一部を通知する情報である。ただし、ＳＲＩ情報は、基地局装置３が設定している１つまたは複数のＳＲＳ送信用リソースに対応するビットマップ情報であってもよい。
【０１３５】
端末装置１は、受信したＳＲＩ情報に基づいて、ランダムアクセスプリアンブルを送信
するアンテナポートを決定してもよい。ただし、ＳＲＩ情報が示すＳＲＳ送信用リソースが複数である場合に、端末装置１は複数のＳＲＳ送信用リソースに基づく複数のアンテナポートのそれぞれでランダムアクセスプリアンブルを送信してもよい。ただし、端末装置１は、ＳＲＩ情報が示すＳＲＳ送信用リソースに関連付けられたアンテナポートを、ランダムアクセスプリアンブルの送信および再送に利用可能なアンテナポートとしてもよい。端末装置１は、ＳＲＩ情報が示すＳＲＳ送信用リソースに関連付けられた上りリンク送信ビーム（送信空間フィルタ設定）でランダムアクセスプリアンブルを送信してもよい。ただし、メッセージ０でＳＲＩ情報を受信した端末装置１がランダムアクセスプリアンブルの送信に用いるアンテナポートは、ＳＲＩ情報が示すＳＲＳ送信用リソースに関連付けられたアンテナポートとＱＣＬであってもよい。
【０１３６】
ＳＳブロック再選択指示情報は、メッセージ０を受信した端末装置１に対して、ランダムアクセス手順を行なうために用いるＳＳブロックを再選択するか否かを指示する情報である。つまり、ＳＳブロック再選択指示情報は、一つまたは複数のＳＳブロックの測定に基づいて、ＳＳブロックを選択するか否かを指示する情報である。ＳＳブロック再選択指示情報は、参照信号再選択指示情報と称してもよく、一つまたは複数の参照信号の測定に基づいて、参照信号を選択するか否かを指示する情報であってもよい。“選択しない“となった場合には、メッセージ０の情報および／またはメッセージ０を受信したＰＤＣＣＨに関連付けられた参照信号に基づいて、参照信号を選択する。
【０１３７】
メッセージ０によってＳＳブロック再選択指示情報が示されている場合、端末装置１はＳＳバーストセット内の１つまたは複数のＳＳブロックをモニタし、選択した１つのＳＳブロックに関連付けられたランダムアクセス設定を用いてランダムアクセスプリアンブルを送信してもよい。
【０１３８】
ただし、ＳＳブロック再選択指示情報で示される情報は、メッセージ０で示されるその他の情報で示されてもよい。例えば、ＳＳブロック再選択指示情報で示される情報はプリアンブルインデックス情報に含まれてもよい。端末装置１は、メッセージ０で示されるプリアンブルインデックスが所定の値である場合にＳＳブロックを再選択してもよい。
【０１３９】
ランダムアクセス設定再選択指示情報は、メッセージ０を受信した端末装置１に対して、ランダムアクセス手順を行なうために用いるランダムアクセス設定情報を再選択するか否かを指示する情報である。メッセージ０でランダムアクセス設定再選択指示情報を受信した端末装置１は、下りリンク信号で受信した１つまたは複数のランダムアクセス設定情報の中から１つを選択し、選択したランダムアクセス設定情報に基づいてランダムアクセスプリアンブルの送信を行なってもよい。
【０１４０】
ただし、ランダムアクセス設定再選択指示情報で示される情報は、メッセージ０で示されるその他の情報で示されてもよい。例えば、ランダムアクセス設定再選択指示情報で示される情報はプリアンブルインデックス情報に含まれてもよい。端末装置１は、メッセージ０で示されるプリアンブルインデックスが所定の値である場合にランダムアクセス設定情報を再選択してもよい。
【０１４１】
ＣＳＩ−ＲＳ選択指示情報は、メッセージ０を受信した端末装置１に対して、設定されている１つまたは複数のＣＳＩ−ＲＳのうちランダムアクセス手順を行なうために用いる１つを選択することを指示する情報である。ＣＳＩ−ＲＳ選択指示情報は、基地局装置３が端末装置1に対して設定している１つまたは複数のＣＳＩ−ＲＳの少なくとも一部を指
定する情報であってもよい。
【０１４２】
メッセージ０によってＣＳＩ−ＲＳ選択指示情報が示されている場合、端末装置１は設
定されている１つまたは複数のＣＳＩ−ＲＳをモニタし、選択した１つのＣＳＩ−ＲＳに関連付けられたランダムアクセス設定を用いてランダムアクセスプリアンブルを送信してもよい。
【０１４３】
ただし、ＣＳＩ−ＲＳ選択指示情報で示される情報は、メッセージ０で示されるその他の情報で示されてもよい。例えば、ＣＳＩ−ＲＳ選択指示情報で示される情報はプリアンブルインデックス情報に含まれてもよい。端末装置１は、ＮＲ−ＰＤＣＣＨオーダーで示されるプリアンブルインデックスが所定の値である場合に設定されている１つまたは複数のＣＳＩ−ＲＳをモニタし、選択した１つのＣＳＩ−ＲＳに関連付けられたランダムアクセス設定を用いてランダムアクセスプリアンブルを送信してもよい。
【０１４４】
ただし、プリアンブルインデックス情報、ＳＲＩ情報、ＳＳブロック再選択指示情報、ランダムアクセス設定再選択指示情報、および／または、ＣＳＩ−ＲＳ選択指示情報に対して、１つの共通インデックス情報が用いられてもよい。例えば、共通インデックス情報が第1の値であった場合に、ランダムアクセス設定情報の再選択を行ない、共通インデッ
クス情報が第２の値であった場合に１つまたは複数のＣＳＩ−ＲＳをモニタしてもよい。
【０１４５】
ただし、ＲＳタイプ情報は、参照信号の種類を選択する情報である。例えば、ＲＳタイプ情報は、メッセージ０（ＰＤＣＣＨオーダーであってもよい）が、ＳＳブロックに関連付けられているのか、ＣＳＩ−ＲＳに関連付けられているのかを示す。例えば、ＲＳタイプ情報は、メッセージ０（ＮＲ−ＰＤＣＣＨオーダーであってもよい）で指定されるランダムアクセスプリアンブルが、ＳＳブロックに関連付けられているのか、ＣＳＩ−ＲＳに関連付けられているのかを示す。例えば、ＲＳタイプ情報は、メッセージ０（ＮＲ−ＰＤＣＣＨオーダーであってもよい）を受信した端末装置がメッセージ１の送信に使用されるＲＡＣＨ機会が、ＳＳブロックに関連付けられているのか、ＣＳＩ−ＲＳに関連付けられているのかを示す。
【０１４６】
ただし、ＴＣＩは、送信設定識別子（ＴＣＩ）であり、ＴＣＩに関連付けられた一つまたは複数の参照信号は、ＲＲＣメッセージによって、基地局装置３から端末装置１が受信する。メッセージ０（ＮＲ−ＰＤＣＣＨオーダーであってもよい）に含まれるＴＣＩに基づいて，メッセージ０の受信に用いたＰＤＣＣＨと関連付けられた一つまたは複数の参照信号を特定する。
【０１４７】
＜メッセージ１（Ｓ８０２）＞
メッセージ０を受信した端末装置１は、物理ランダムアクセスチャネルで割り当てられた非競合ランダムアクセスプリアンブルを送信する。この送信されるランダムアクセスプリアンブルをメッセージ１またはＭｓｇ１と称してもよい。ランダムアクセスプリアンブルは、複数のシーケンスによって基地局装置３へ情報を通知するように構成される。例えば、６４種類のシーケンスが用意されている場合、６ビットの情報を基地局装置３へ示すことができる。この情報は、ランダムアクセスプリアンブル識別子（Random Access preamble Identifier）として示される。プリアンブルシーケンスは、プリアンブルインデッ
クスを用いるプリアンブルシーケンスセットの中から選択される。
【０１４８】
ただし、端末装置１は、メッセージ０によって所定の値（例えば、プリアンブルインデックスを示すビットが全て０である場合であってもよい）を示すプリアンブルインデックスが示されている場合に利用可能なランダムアクセスプリアンブルからランダムに１つのランダムアクセスプリアンブルを選択してもよい。
【０１４９】
ただし、メッセージ０によってマスクインデックスが示されている場合、端末装置１は示されたマスクインデックスに対応する周波数リソースおよび／または時間リソースを用
いてランダムアクセスプリアンブルを送信する。
【０１５０】
ただし、メッセージ０によってＳＲＩ設定情報が示されている場合、端末装置１は、ＳＲＩ設定情報に示されている１つまたは複数のＳＲＳ送信用リソースに対応するアンテナポートおよび／または上りリンク送信ビームを用いて１つまたは複数のランダムアクセスプリアンブルを送信する。
【０１５１】
＜メッセージ２（Ｓ８０３）＞
メッセージ１を受信した基地局装置３は、端末装置１に送信を指示するための上りリンクグラントを含むランダムアクセス応答を生成し、生成したランダムアクセス応答をＤＬ−ＳＣＨで端末装置１へ送信する。ランダムアクセス応答を、メッセージ２またはＭｓｇ２と称してもよい。また、基地局装置３は、受信したランダムアクセスプリアンブルから端末装置１と基地局装置３との間の送信タイミングのずれを算出し、該ずれを調整するための送信タイミング調整情報（Timing Advance Command）をメッセージ２に含める。また、基地局装置３は、受信したランダムアクセスプリアンブルに対応したランダムアクセスプリアンブル識別子をメッセージ２に含める。また、基地局装置３は、ランダムアクセスプリアンブルを送信した端末装置１宛てのランダムアクセス応答を示すためのＲＡ−ＲＮＴＩ（ランダムアクセス応答識別情報：Random Access-Radio Network Temporary Identity）を、下りリンクのＰＣＣＨで送信する。ＲＡ−ＲＮＴＩは、ランダムアクセスプリアンブルを送信した物理ランダムアクセスチャネルの周波数および時間の位置情報に応じて決定される。ここで、メッセージ２（下りリンクのＰＳＣＨ）には、ランダムアクセスプリアンブルの送信に使用された上りリンク送信ビームのインデックスが含まれてもよい。また、下りリンクのＰＣＣＨおよび／またはメッセージ２（下りリンクのＰＳＣＨ）を用いてメッセージ３の送信に使用される上りリンク送信ビームを決定するための情報が送信されてもよい。ここで、メッセージ３の送信に使用される上りリンク送信ビームを決定するための情報には、ランダムアクセスプリアンブルの送信に使用されたプリコーディングのインデックスからの差分（調整、補正）を示す情報が含まれてもよい。
【０１５２】
以上の複数のメッセージの送受信により、端末装置１は基地局装置３との同期をとり、基地局装置３に対する上りリンクデータ送信を行なうことができる。
【０１５３】
図１０は、本実施形態に係る端末装置１のＲＡＣＨ機会の選択処理の一例を示すフロー図である。ただし、以下の説明で「参照信号を選択する」とは「参照信号のインデックス（例えばＳＳブロックインデックス）を選択する」ことであってもよい。ただし、以下の説明で「参照信号を選択する」とは「参照信号に関連付けられたＱＣＬ設定を選択する」ことであってもよい。
【０１５４】
端末装置１は、基地局装置３から１つまたは複数のＲＡＣＨ機会を特定するＲＡＣＨ機会情報を受信する（Ｓ１００１）。ＲＡＣＨ機会情報は、参照信号毎に割り当てられた１つまたは複数の複数のＲＡＣＨ機会を特定する情報であってもよい。ただし、ＲＡＣＨ機会は、ＱＣＬである１つまたは複数の参照信号毎に割り当てられていてもよい。ただし、ＲＡＣＨ機会情報は、参照信号のインデックス毎に割り当てられた１つまたは複数のＲＡＣＨ機会を特定する情報であってもよい。ＲＡＣＨ機会情報は、ＲＲＣで通知されてよい。
【０１５５】
端末装置１は、基地局装置３からランダムアクセスプリアンブルのインデックスを特定するプリアンブルインデックス情報を受信する（Ｓ１００２）。プリアンブルインデックス情報は、１つのプリアンブルインデックスを示す情報であってもよい。プリアンブルインデックス情報は、参照信号毎または参照信号のインデックス毎に１つのプリアンブルインデックスが割り当てられた、複数のプリアンブルインデックスを示す情報であってもよ
い。プリアンブルインデックス情報は、ＲＲＣおよび／またはＰＤＣＣＨで通知されてよい。
【０１５６】
端末装置１は、受信したプリアンブルインデックス情報が第１の条件を満たす場合（Ｓ１００３−ＹＥＳ）に、１つまたは複数の参照信号から、それぞれの参照信号の測定値に基づいて１つの参照信号を選択する（Ｓ１００４）。ただし、第１の条件のうちの少なくとも１つは、プリアンブルインデックス情報をＲＲＣで受信したことであってよい。ただし、第１の条件のうちの少なくとも１つは、受信したプリアンブルインデックス情報で示されるランダムアクセスプリアンブルのインデックスが所定の値（例えば、インデックスを示すビットが全て０である場合）であることであってよい。ただし、参照信号の測定値は、端末装置１が受信した参照信号の受信電力（ＲＳＲＰ：Reference Signal Received Power）であってよい。例えば、端末装置１は、ＲＳＲＰが最も高い参照信号を選択して
もよい。例えば、端末装置１は、ＲＳＲＰが所定の閾値より高い参照信号の中から１つを選択してもよい。
【０１５７】
端末装置１は、受信したプリアンブルインデックス情報が第２の条件を満たす場合（Ｓ１００５−ＹＥＳ）に、プリアンブルインデックス情報を受信したＰＤＣＣＨと関連付けられた１つの参照信号を選択する（Ｓ１００６）。ただし、第２の条件のうちの少なくとも１つは、プリアンブルインデックス情報をＰＤＣＣＨで受信したことであってよい。ただし、第２の条件のうちの少なくとも１つは、受信したプリアンブルインデックス情報で示されるランダムアクセスプリアンブルのインデックスが所定の値（例えば、インデックスを示すビットが全て０である場合）ではないことであってよい。ただし、ＰＤＣＣＨと関連付けられた参照信号とは、該ＰＤＣＣＨの受信に用いられたＣＯＲＥＳＥＴに関連付けられた参照信号であってよい。ただし、ＰＤＣＣＨと関連付けられた参照信号とは、ＰＤＣＣＨをモニタするために用いられるＱＣＬ設定に関連付けられた参照信号であってよい。これらの設定は、これらの関連付けを含むＲＲＣのメッセージを受信することによって、端末装置１に設定される。例えば、ＲＲＣメッセージは、ＴＣＩで識別される一つまたは複数の下りリンク参照信号と一つまたは複数のＰＤＳＣＨ  ＤＭＲＳポートの関連付けを設定する情報を含む。さらに、ＴＣＩとＣＯＲＥＳＥＴを関連付ける情報によって、ＰＤＣＣＨと関連付けられた一つまたは複数の参照信号を特定する。別の方法としては、ＰＤＣＣＨに含まれるＴＣＩに基づいて，該ＰＤＣＣＨと関連付けられた一つまたは複数の参照信号を特定する。ＴＣＩが複数の参照信号と関連付けられている場合は、指定されたＲＳタイプおよび／またはＴＣＩの中のあらかじめ定められた参照信号のインデックス（例えばＳＳブロックインデックス）に基づいて、対応する参照信号のインデックスを特定してもよい。ＴＣＩが複数の参照信号と関連付けられている場合は、指定されたＲＳタイプおよび／またはＴＣＩの中のあらかじめ定められたＣＳＩ−ＲＳに基づいて、対応するＣＳＩ−ＲＳを特定してもよい。
【０１５８】
端末装置１は、１つまたは複数のＲＡＣＨ機会から、選択した１つの参照信号（または参照信号のインデックス）に関連付けられた１つのＲＡＣＨ機会を選択する（Ｓ１００７）。ただし、１つの参照信号に関連付けられた１つのＲＡＣＨ機会とは、該１つの参照信号に対応するＱＣＬ設定に関連付けられた１つのＲＡＣＨ機会であってもよい。
【０１５９】
図１１は、本実施形態に係る基地局装置３のランダムアクセスプリアンブルの受信処理の一例を示すフロー図である。
【０１６０】
基地局装置３は、１つまたは複数の参照信号を送信し（Ｓ２００１）、１つまたは複数のＲＡＣＨ機会を特定するＲＡＣＨ機会情報を送信し（Ｓ２００２）、ランダムアクセスプリアンブルのインデックスを特定するプリアンブルインデックス情報を送信する（Ｓ２００３）。
【０１６１】
基地局装置３は、送信したプリアンブルインデックス情報が第１の条件を満たす場合（Ｓ２００４−ＹＥＳ）に、１つまたは複数の参照信号のそれぞれに割り当てたＲＡＣＨ機会でランダムアクセスプリアンブルをモニタする（Ｓ２００５）。
【０１６２】
基地局装置３は、送信したプリアンブルインデックス情報が第２の条件を満たす場合（Ｓ２００５−ＹＥＳ）に、プリアンブルインデックス情報を送信したＰＤＣＣＨと関連付けられた１つの参照信号に割り当てたＲＡＣＨ機会でランダムアクセスプリアンブルをモニタする（Ｓ２００６）。
【０１６３】
図１２は、本実施形態に係る端末装置１のランダムアクセスプリアンブル送信処理の一例を示すフロー図である。
【０１６４】
端末装置１は、基地局装置３から、１つまたは複数の参照信号（同期信号、ＳＳブロックおよび／または下りリンク参照信号）を受信する（Ｓ３００１）。
【０１６５】
端末装置１は、第１のインデックスを特定するインデックス情報を受信する（Ｓ３００２）。ただし、第１のインデックスは、利用可能なランダムアクセスプリアンブルのインデックスのうちの１つを示す情報であってよい。ただし、第１のインデックスは、特定の参照信号または参照信号のインデックスに関連付けられたランダムアクセスプリアンブルのインデックスであってもよい。ただし、該インデックス情報は、ＰＤＣＣＨおよび／またはＲＲＣで受信してもよい。
【０１６６】
端末装置１は、１つまたは複数の参照信号の測定値に基づいて１つの参照信号を選択する（Ｓ３００３）。ただし、参照信号の測定値は、端末装置１が受信した参照信号の受信電力（ＲＳＲＰ）であってよい。例えば、端末装置１は、ＲＳＲＰが最も高い参照信号を選択してもよい。例えば、端末装置１は、ＲＳＲＰが所定の閾値より高い参照信号の中から１つを選択してもよい。
【０１６７】
端末装置１は、プリアンブルインデックスを、第１のインデックスと選択した１つの参照信号に基づいて特定される第２のインデックスにセットする（Ｓ３００４）。
【０１６８】
ただし、端末装置１は、１つまたは複数の参照信号のそれぞれに対応するランダムに選択可能なインデックス（競合ベースランダムアクセスに利用可能なインデックス）の割当を特定するプリアンブル割当情報を受信してもよい。ただし、端末装置１は、１つまたは複数の参照信号のそれぞれに対応する第１のインデックスからのオフセット値を特定するオフセット情報を受信してもよい。端末装置１は、インデックス情報、プリアンブル割当情報、オフセット情報および／または選択した１つの参照信号に基づいて第２のインデックスを特定してもよい。プリアンブル割当情報はＲＲＣで通知されてもよい。オフセット情報はＰＤＣＣＨで通知されてもよい。
【０１６９】
プリアンブル割当情報には、１つまたは複数の参照信号（参照信号のインデックス、ＱＣＬ設定であってもよい）のそれぞれに割り当てられているＲＡＣＨ機会を特定する情報が含まれてもよい。プリアンブル割当情報には、１つの参照信号（参照信号のインデックス、ＱＣＬ設定であってもよい）に対して割り当てられた競合ベースランダムアクセスで選択可能なプリアンブルの数（Ｘ）が含まれてもよい。第２の情報の情報には、１つの参照信号に対して割り当てられた、競合ベースランダムアクセスで利用可能なプリアンブルと非競合ベースランダムアクセスで利用可能なプリアンブルの合計の数（Ｙ）が含まれてもよい。第２の情報には、１つのＲＡＣＨ機会に割り当てられた参照信号の数（Ｚ）が含まれてもよい。第２の情報はＲＲＣで通知されてもよい。ただし、Ｙが、参照信号毎に等
間隔に割り当てられるプリアンブルのインデックスの間隔であってもよい。例えば、Ｙが１０であり、第１のインデックスが９である場合に、参照信号毎の第２のインデックスは、９＋１０×Ａで示されてもよい。ただし、Ａは、第１のインデックスに対応する参照信号と選択した参照信号の対応関係に依存する値である。
【０１７０】
オフセット情報には、参照信号毎に等間隔に割り当てられるプリアンブルのインデックスの間隔を特定する情報が含まれてもよい。オフセット情報には、各参照信号に対応する第１のインデックスからのオフセット値を特定する情報が含まれてもよい。
【０１７１】
図１３に、プリアンブルインデックスの割当の一例を示す。図１３は、あるＲＡＣＨ機会において利用可能なランダムアクセスプリアンブルのインデックスが０〜６３の６４種類が用意されており、４つの参照信号（例えば、ＳＳブロック）に対する競合ベースランダムアクセス用のプリアンブルグループと非競合ベースランダムアクセス用のプリアンブルグループに分類されている例である。図１３では、インデックス０〜１２が第１の参照信号に対応する競合ベースランダムアクセス用であり、インデックス１６〜２８が第２の参照信号に対応する競合ベースランダムアクセス用であり、インデックス３２〜４４が第３の参照信号に対応する競合ベースランダムアクセス用であり、インデックス４８から６３が第４の参照信号に対応する競合ベースランダムアクセス用であり、その他のインデックスが非競合ベースランダムアクセス用である。ただし、図では、各参照信号に対応する競合ベースランダムアクセス用プリアンブルグループの間に非競合ベースランダムアクセス用プリアンブルグループを割り当てているが、この順で割り当てられていなくてもよい。ただし、図１３では、４つの非競合ベースランダムアクセス用プリアンブルグループに対して、特定の参照信号を割り当てていないが、各非競合ベースランダムプリアンブルグループを４つの参照信号にそれぞれ割り当ててもよい。ただし、図１３では１つのＲＡＣＨ機会におけるプリアンブルインデックスの割当を示しているが、複数の参照信号に対して、複数のＲＡＣＨ機会におけるプリアンブルインデックスが割り当てられてもよい。
【０１７２】
端末装置１は、プリアンブル割当情報として、Ｘ＝１３、Ｙ＝１６、Ｚ＝４の３つの情報のうち、少なくとも一部を通知されて、図１３のような割当てを特定してもよい。
【０１７３】
端末装置１は、インデックス情報として、１４を通知された場合に、第１の参照信号に対応する非競合ベースランダムアクセス用プリアンブルのインデックスが１４であると特定してもよい。端末装置１は、インデックス情報とプリアンブル割当情報で通知された情報に基づいて、第２の参照信号に対応する非競合ベースランダムアクセス用プリアンブルのインデックス、第３の参照信号に対応する非競合ベースランダムアクセス用プリアンブルのインデックス、および／または第４の参照信号に対応する非競合ベースランダムアクセス用プリアンブルのインデックスを特定してもよい。例えば、Ｙ（＝１６）が、参照信号毎に等間隔に割り当てられるプリアンブルのインデックスの間隔として、第２の参照信号に対応する非競合ベースランダムアクセス用プリアンブルのインデックスを１４＋１６＝３０、第３の参照信号に対応する非競合ベースランダムアクセス用プリアンブルのインデックスを１４＋１６＊２＝４６、第４の参照信号に対応する非競合ベースランダムアクセス用プリアンブルのインデックスを１４＋１６＊３＝６２と特定してもよい。ただし、オフセット情報で参照信号毎に等間隔に割り当てられるプリアンブルのインデックスの間隔として１６が通知されてもよい。ただし、オフセット情報で、第１のインデックスに対する第２の参照信号のオフセット、第１のインデックスに対する第３の参照信号のオフセットおよび／または第１のインデックスに対する第４の参照信号のオフセットがそれぞれ通知されてもよい。ただし、図１３における４つの非競合ベースランダムアクセス用プリアンブルグループに含まれるインデックスに対して、複数の参照信号に対応する非競合ベールランダムアクセス用プリアンブルが昇順に割り当てられてもよい。
【０１７４】
端末装置１は、セットしたプリアンブルインデックスに対応するランダムアクセスプリアンブルを基地局装置３へ送信する（Ｓ３００５）。
【０１７５】
図１４は、本実施形態に係る基地局装置３のランダムアクセスプリアンブルの受信処理の別の一例を示すフロー図である。
【０１７６】
基地局装置３は、端末装置１に、１つまたは複数の参照信号を送信し（Ｓ４００１）、第１のインデックスを特定するインデックス情報を送信する（Ｓ４００２）。基地局装置３は、１つまたは複数の参照信号と第１のインデックスから特定される１つまたは複数のプリアンブルインデックスのいずれか１つで送信されるランダムアクセスプリアンブルを受信する（Ｓ４００３）。
【０１７７】
以下、本実施形態における装置の構成について説明する。
【０１７８】
図１５は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベー
スバンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部、選択部または制御部とも称する。
【０１７９】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部１４は、１つまたは複数の参照信号から、それぞれの参照信号の測定値に基づいて１つの参照信号を選択する機能を有してもよい。上位層処理部１４は、所定の条件の場合にランダムアクセスプリアンブルのインデックスを特定する情報を受信したＰＤＣＣＨと関連付けられた１つの参照信号を選択する機能を有してもよい。上位層処理部１４は、所定の条件の場合に１つまたは複数のＲＡＣＨ機会から、選択した１つの参照信号に関連付けられた１つのＲＡＣＨ機会を選択する機能を有してもよい。上位層処理部１４は、プリアンブルインデックスを、受信した情報から特定したインデックスと選択した１つの参照信号に基づいて特定したインデックスにセットする機能を有してもよい。
【０１８０】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。
【０１８１】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１８２】
無線送受信部１０は、変調、復調、符号化、復号化などの物理層の処理を行う。無線送
受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。無線送受信部１０は、あるセルにおける１つまたは複数の参照信号を受信する機能を有してもよい。無線送受信部１０は、１つまたは複数のＲＡＣＨ機会を特定する情報を受信する機能を有してもよい。無線送受信部１０は、所定のインデックスを特定する情報を受信する情報を受信する機能を有してもよい。無線送受信部１０は、ランダムアクセスプリンブルのインデックスを特定する情報を受信する機能を有してもよい。無線送受信部１０は、ランダムアクセスプリアンブルを送信する機能を有してもよい。
【０１８３】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１８４】
ベースバンド部１３は、ＲＦ部１２から入力されたアナログ信号を、アナログ信号をデジタル信号に変換する。ベースバンド部１３は、変換したデジタル信号からＣＰ（Cyclic
Prefix）に相当する部分を除去し、ＣＰを除去した信号に対して高速フーリエ変換（Fast Fourier Transform: FFT）を行い、周波数領域の信号を抽出する。
【０１８５】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０１８６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上りリンク信号および／または上りリンクチャネルの送信電力を決定する機能を備えてもよい。ＲＦ部１２を送信電力制御部とも称する。
【０１８７】
図１６は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、または、物理層処理部とも称する。また様々な条件に基づき各部の動作を制御する制御部を別途備えてもよい。上位層処理部３４を、端末制御部とも称する。
【０１８８】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。
【０１８９】
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。
【０１９０】
上位層処理部３４が備える無線リソース制御層処理部３６は、ＲＲＣレイヤの処理を行
なう。無線リソース制御層処理部３６は、物理下りリンク共用チャネルに配置される下りリンクデータ（トランスポートブロック）、システム情報、ＲＲＣメッセージ、ＭＡＣ  ＣＥ（Control Element）などを生成し、又は上位ノードから取得し、無線送受信部３０
に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける複数の参照信号の設定を特定するための情報を送信／報知してもよい。
【０１９１】
無線送受信部３０は、複数の参照信号を送信する機能を有する。また、端末装置１から、上位層処理部３４で設定した複数のスケジューリング要求リソースのいずれか１つを用いて送信されるスケジューリング要求を受信する機能を有してもよい。また、無線送受信部３０は、１つまたは複数の参照信号を送信する機能を有してもよい。無線送受信部３０は、端末装置１に１つまたは複数のＲＡＣＨ機会を特定する情報を送信する機能を有してもよい。無線送受信部３０は、所定のインデックスを特定する情報を送信する機能を有してもよい。無線送受信部３０は、ランダムアクセスプリアンブルのインデックスを特定する情報を送信する機能を有してもよい。無線送受信部３０は、所定の条件の場合に、１つまたは複数の参照信号のそれぞれに割り当てたＲＡＣＨ機会でランダムアクセスプリアンブルをモニタする機能を有してもよい。無線送受信部３０は、所定の条件の場合に、ランダムアクセスプリアンブルのインデックスを特定する情報を送信したＰＤＣＣＨと関連付けられた１つの参照信号に割り当てたＲＡＣＨ機会でランダムアクセスプリアンブルをモニタする機能を有してもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０１９２】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図９において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。また上位層処理部３４は、無線送受信部３０から送信する複数の参照信号のそれぞれに対応する複数のスケジューリング要求リソースを設定する機能を有してもよい。
【０１９３】
なお、図中の「部」とは、セクション、回路、構成装置、デバイス、ユニットなど用語によっても表現される、端末装置１および基地局装置３の機能および各手順を実現する要素である。
【０１９４】
端末装置１が備える符号１０から符号１６が付された部のそれぞれは、回路として構成されてもよい。基地局装置３が備える符号３０から符号３６が付された部のそれぞれは、回路として構成されてもよい。
【０１９５】
以下、本発明における、端末装置１および基地局装置３の態様について説明する。
【０１９６】
（１）本発明の第１の態様は、端末装置１であって、１つまたは複数のランダムアクセスチャネル機会（ＲＡＣＨ機会）を特定する第１の情報（ＲＡＣＨ機会情報）を受信し、
ランダムアクセスプリアンブルのインデックスを特定する第２の情報（プリアンブルインデックス情報）を受信する受信部１０と、第１の条件の場合は、１つまたは複数の参照信号（ＳＳブロック）から、それぞれの参照信号の測定値（ＲＳＲＰ）に基づいて、１つの参照信号を選択し、第２の条件の場合は、第２の情報（プリアンブルインデックス）を受信した物理下りリンク制御チャネル（ＰＤＣＣＨ）と関連付けられた１つの参照信号を選択し、前記１つまたは複数のランダムアクセスチャネル機会から、前記選択された１つの参照信号に関連付けられた１つのランダムアクセスチャネル機会を選択する選択部１４と、を備える。
【０１９７】
（２）本発明の第１の態様において、前記第１の条件は、前記第２の情報をＲＲＣで受信した場合であり、前記第２の条件は、前記第２の情報を前記物理下りリンク制御チャネル（ＰＤＣＣＨ）で受信した場合であってもよい。
【０１９８】
（３）本発明の第１の態様において、前記第１の条件は、前記第２の情報で示されるランダムアクセスプリアンブルのインデックスが予め定められた第１の値であることであり、前記第２の条件は、前記第２の情報で示されるランダムアクセスプリアンブルのインデックスが前記第１の値ではないことであってもよい。
【０１９９】
（４）本発明の第２の態様は、端末装置１であって、１つまたは複数の参照信号（ＳＳブロック）を受信し、第１のインデックスを特定する第１の情報（インデックス情報）を受信する受信部１０と、前記１つまたは複数の参照信号の測定値（ＲＳＲＰ）に基づいて、１つの参照信号を選択する選択部と、プリアンブルインデックスを、前記第１のインデックスと選択した前記１つの参照信号に基づいて特定される第２のインデックスにセットする処理部１４と、前記プリアンブルインデックスに対応するランダムアクセスプリアンブルを送信する送信部１０と、を備える。
【０２００】
（５）本発明の第２の態様において、前記受信部１０は、さらに、前記１つまたは複数の参照信号のそれぞれに対応するランダムに選択可能なインデックスの割当を特定する第２の情報（プリアンブル割当情報）を受信し、前記処理部１４は、さらに、前記第２の情報に基づいて前記第２のインデックスを特定してもよい。
【０２０１】
（６）本発明の第２の態様において、前記受信部１０は、さらに、前記１つまたは複数の参照信号のそれぞれに対応する前記第１のインデックスからのオフセット値を特定する第３の情報（オフセット情報）を受信し、前記処理部１４は、さらに、選択した前記１つの参照信号と前記第３の情報に基づいて決定される前記第１のインデックスからのオフセット値を用いて前記第２のインデックスを特定してもよい。
【０２０２】
（７）本発明の第３の態様は、端末装置１と通信する基地局装置３であって、前記端末装置１に対して、１つまたは複数の参照信号を送信し、１つまたは複数のランダムアクセスチャネル機会（ＲＡＣＨ機会）を特定する第１の情報（ＲＡＣＨ機会情報）を送信し、ランダムアクセスプリアンブルのインデックスを特定する第２の情報（プリアンブルインデックス情報）を送信する送信部３０と、第１の条件の場合は、前記１つまたは複数の参照信号のそれぞれに割り当てたランダムアクセスチャネル機会で前記端末装置１から送信されるランダムアクセスプリアンブルをモニタし、第２の条件の場合は、前記第２の情報を送信した物理下りリンク制御チャネル（ＰＤＣＣＨ）と関連付けられた１つの参照信号に割り当てたランダムアクセスチャネル機会で前記端末装置１から送信されるランダムアクセスプリアンブルをモニタするモニタ部３０と、を備える。
【０２０３】
（８）本発明の第４の態様は、基地局装置３であって、１つまたは複数の参照信号を送信し、第１のインデックスを特定する第１の情報（インデックス情報）を送信する送信部
３０と、前記１つまたは複数の参照信号と前記第１のインデックスから特定される１つまたは複数のプリアンブルインデックスのいずれか１つで送信されるランダムアクセスプリアンブルを受信する受信部３０と、を備える。
【０２０４】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０２０５】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０２０６】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２０７】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２０８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２０９】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2019092061.tif 000003
【図２】
2019092061.tif 000004
【図３】
2019092061.tif 000005
【図４】
2019092061.tif 000006
【図５】
2019092061.tif 000007
【図６】
2019092061.tif 000008
【図７】
2019092061.tif 000009
【図８】
2019092061.tif 000010
【図９】
2019092061.tif 000011
【図１０】
2019092061.tif 000012
【図１１】
2019092061.tif 000013
【図１２】
2019092061.tif 000014
【図１３】
2019092061.tif 000015
【図１４】
2019092061.tif 000016
【図１５】
2019092061.tif 000017
【図１６】
2019092061.tif 000018